(57)【要約】【課題】３種以上の媒体を流す熱交換器にモジュレータを設ける。【解決手段】熱交換器７０は、空気と冷媒とを熱交換させる室外熱交換器１６と、空気と冷却水とを熱交換させるラジエータ４３とを有する。コア部７１は、冷媒チューブ１６ａと水チューブ４３ａとが混在する第１の部分７１ａと、冷媒チューブ１６ａだけが配置された第２の部分７１ｂとを有する。冷媒チューブ１６ａと水チューブ４３ａとは、少なくとも一部において隣接して配置されている。コア部７１の両端には、タンク部７２、７５が配置されている。タンク部７２に隣接して、モジュレータ８０が配置されている。モジュレータ８０は、凝縮部１６ｃから供給された冷媒を気液分離する。モジュレータ８０は、液相冷媒を過冷却部１６ｄに供給する。モジュレータ８０は、タンク部７２の複数の室の間を連通することによって、凝縮部１６ｃから過冷却部１６ｄへ冷媒を流す。【選択図】図３
2013139998.tif 000002
【特許請求の範囲】
【請求項１】
冷凍サイクルから供給される冷媒のための複数の冷媒チューブ（１６ａ）、および車両に搭載された発熱機器（ＨＳ）の温度を調節するための媒体のための複数の媒体チューブ（４３ａ）を含む複数のチューブ（１６ａ、４３ａ）が空気と熱交換可能に配置されたコア部（７１）と、
前記冷媒チューブの両端と連通するように接続された冷媒タンク（ＲＦＴ）、および前記媒体チューブの両端と連通するように接続された媒体タンク（ＷＴＴ）を含み、前記コア部の両端に設けられたタンク部（７２、７５）と、
複数の前記冷媒チューブによって構成される冷凍サイクル放熱器に含まれる凝縮部と過冷却部との間に設けられ、冷媒を蓄えるモジュレータであって、前記タンク部の隣に配置され、前記冷媒タンクと接続されたモジュレータ（８０）とを備え、
前記冷媒から前記空気へ放熱するための冷凍サイクル放熱器（１６）、前記媒体から前記空気へ放熱するための発熱機器放熱器（４３）、および前記モジュレータ（８０）が、一体として取り扱いが可能なユニット（７０）として構成されていることを特徴とする熱交換器。
【請求項２】
前記モジュレータ（８０）は前記冷媒タンク（ＲＦＴ）に接触しており、
前記モジュレータ（８０）は前記媒体タンク（ＷＴＴ）に接触しているか、または接触しておらず、
前記モジュレータ（８０）と前記冷媒タンク（ＲＦＴ）との間の熱伝達を規定する断面積は、前記モジュレータ（８０）と前記媒体タンク（ＷＴＴ）との間の熱伝達を規定する断面積より大きいことを特徴とする請求項１に記載の熱交換器。
【請求項３】
前記モジュレータ（８０）は前記冷媒タンク（ＲＦＴ）だけに接触していることを特徴とする請求項２に記載の熱交換器。
【請求項４】
前記タンク部（７２、７５）の中を仕切ること（７２ｃ、７３ｆ、７０ａ、７０ｂ、７０ｃ、７２ｃ１、７２ｃ２、７２ｃ３、７２ｂ１）により前記冷媒タンク（ＲＦＴ）と前記媒体タンク（ＷＴＴ）とが形成されていることを特徴とする請求項１から請求項３のいずれかに記載の熱交換器。
【請求項５】
前記タンク部（７２、７５）は、前記凝縮部の最後の集合タンク（１６ｅ）、および前記過冷却部の最初の分配タンク（１６ｆ）を提供しており、
前記モジュレータは、
前記モジュレータの上部において開口する入口開口を含む入口通路（８３）を通して前記集合タンクと連通しており、
前記モジュレータの下部において開口する出口開口を含む出口通路（８４）を通して前記分配タンクと連通していることを特徴とする請求項１から請求項４のいずれかに記載の熱交換器。
【請求項６】
前記コア部の一方に配置された前記タンク部（７２）は、外側に位置する外側タンク（７３）と、前記外側タンクと前記コア部との間に位置する内側タンク（７４）とを有しており、
前記外側タンク（７３）は、前記集合タンク（１６ｅ）、および前記分配タンク（１６ｆ）を提供しており、
前記モジュレータは、前記外側タンク（７３）に隣接して配置されていることを特徴とする請求項５に記載の熱交換器。
【請求項７】
前記コア部の一方に配置された前記タンク部（７２）は、前記冷媒タンク（ＲＦＴ）と、前記冷媒タンクに隣接して配置された前記媒体タンク（ＷＴＴ）とを有しており、
前記冷媒タンク（ＲＦＴ）は、前記集合タンク（１６ｅ）、および前記分配タンク（１６ｆ）を提供しており、
前記モジュレータは、前記冷媒タンク（ＲＦＴ）に隣接して配置されていることを特徴とする請求項５または請求項６に記載の熱交換器。
【請求項８】
前記モジュレータが前記集合タンク（１６ｅ）、および前記分配タンク（１６ｆ）に隣接して配置されていることを特徴とする請求項５から請求項７のいずれかに記載の熱交換器。
【請求項９】
前記集合タンク（１６ｅ）は、重力方向に関して、前記分配タンク（１６ｆ）より上に位置付けられており、
前記モジュレータは、前記集合タンク（１６ｅ）から前記冷媒を受け入れ、前記集合タンクより下に位置する前記分配タンク（１６ｆ）に前記冷媒を供給することを特徴とする請求項５から請求項８のいずれかに記載の熱交換器。
【請求項１０】
前記集合タンク（１６ｅ）は、前記空気（ＡＲ）の流れ方向に関して、前記分配タンク（１６ｆ）より上流側、または下流側に位置付けられており、
前記モジュレータは、前記集合タンク（１６ｅ）から前記冷媒を受け入れ、前記集合タンクより上流側、または下流側に位置する前記分配タンク（１６ｆ）に前記冷媒を供給することを特徴とする請求項５から請求項９のいずれかに記載の熱交換器。
【請求項１１】
前記入口通路および前記出口通路の少なくともひとつは、前記モジュレータと前記タンク部との間の接続部（８２）に設けられており、前記モジュレータに形成された貫通穴（８３ａ、８４ａ）と、前記タンク部に形成された貫通穴（８３ｂ、８４ｂ）とによって提供されていることを特徴とする請求項５から請求項１０のいずれかに記載の熱交換器。
【請求項１２】
前記入口通路および前記出口通路の少なくともひとつは、前記モジュレータ内と前記タンク部内とを連通する通路を提供する部材（８２ａ、８２ｂ、８２ｃ、８２ｄ）によって提供されていることを特徴とする請求項５から請求項１１のいずれかに記載の熱交換器。
【請求項１３】
前記コア部の一方に配置された前記タンク部（７２）は、外側に位置する外側タンク（７３）と、前記外側タンクと前記コア部との間に位置する内側タンク（７４）とを有しており、
前記内側タンク（７４）は、前記集合タンク（１６ｅ）、または前記分配タンク（１６ｆ）を提供しており、
前記入口通路および前記出口通路の少なくともひとつは、前記モジュレータ内と前記内側タンク内とを連通する通路を提供する部材（８２ｂ、８２ｃ、８２ｄ）によって提供されており、当該部材は前記外側タンクを迂回して、または前記外側タンクを貫通していることを特徴とする請求項５に記載の熱交換器。
【請求項１４】
前記タンク部（７２、７５）は重力方向の上下に配置された上のタンク部（７５）と下のタンク部（７２）とを含み、
前記モジュレータ（８０）は、前記上のタンク部と前記下のタンク部との間に挟まれて、または隣接して配置された容器（８１）を備えることを特徴とする請求項５から請求項１３に記載の熱交換器。
【請求項１５】
前記下のタンク部（７２）は、前記過冷却部（１６ｄ）の最初の分配タンク（１６ｆ）を提供しており、
前記容器（８１）は、前記下のタンク部（７２）より上に位置付けられており、
前記出口通路（８４）は、前記容器の底と前記分配タンク（１６ｆ）とを連通することを特徴とする請求項１４に記載の熱交換器。
【請求項１６】
前記上のタンク部（７５）および／または前記下のタンク部（７２）は、前記コア部より突出した突出部分を有し、
前記モジュレータは前記突出部分に接続されていることを特徴とする請求項１４または請求項１５に記載の熱交換器。
【請求項１７】
前記コア部（７１）は、
前記冷媒チューブ（１６ａ）と前記媒体チューブ（４３ａ）とが混在して配置された第１の部分（７１ａ）と、
前記冷媒チューブ（１６ａ）だけが配置された第２の部分（７１ｂ）とを含み、
前記凝縮部（１６ｃ）は、前記第１の部分によって提供され、
前記過冷却部（１６ｄ）は、前記第２の部分によって提供されていることを特徴とする請求項１から請求項１６のいずれかに記載の熱交換器。
【請求項１８】
前記冷媒チューブ（１６ａ）と前記媒体チューブ（４３ａ）とは、前記凝縮部（１６ｃ）と前記過冷却部（１６ｄ）との両方において混在して配置されていることを特徴とする請求項１から請求項１６のいずれかに記載の熱交換器。
【請求項１９】
前記冷媒チューブ（１６ａ）と前記媒体チューブ（４３ａ）とは、前記空気（ＡＲ）の流れ方向と直交する方向（ＲＤ）に列（７１ｃ、７１ｄ）をなすように配置されており、前記列内において隣接して配置された前記冷媒チューブ（１６ａ）と前記媒体チューブ（４３ａ）とは熱的に結合されていることを特徴とする請求項１から請求項１８のいずれかに記載の熱交換器。
【請求項２０】
前記冷媒タンク（ＲＦＴ）は、前記空気の流れ方向に沿って上流側に位置する上流室（ＵＰＣ）と前記上流室より下流に位置する下流室（ＤＷＣ）とを区画しており、
前記モジュレータは、前記上流室と前記下流室との間を連通する前記冷媒のための通路を提供していることを特徴とする請求項１から請求項１９のいずれかに記載の熱交換器。
【発明の詳細な説明】
【技術分野】
【０００１】
開示された発明は、冷媒を貯めるモジュレータを有する熱交換器に関する。
【背景技術】
【０００２】
特許文献１−特許文献５は、３種以上の媒体を流し、それらの間の熱交換を提供することができる熱交換器を開示している。媒体のひとつは、空気である。媒体のひとつは、冷凍サイクルを流れる冷媒である。媒体のひとつは、発熱機器の温度を調節するための流体、例えば冷却水である。
【先行技術文献】
【特許文献】
【０００３】
【特許文献１】実開平３−３００６８号公報
【特許文献２】実開平４−３３８６０号公報
【特許文献３】特開平８−２５８５４８号公報
【特許文献４】特開平１１−１５７３２６号公報
【特許文献５】特開２００１−５５０３６号公報
【発明の概要】
【発明が解決しようとする課題】
【０００４】
特許文献１−特許文献５が開示する構成では、３種の媒体の間において望ましい熱交換を提供することが困難であった。
【０００５】
開示された発明は上記問題点に鑑みてなされたものであり、その目的は、３種以上の媒体を流すことができ、かつ、モジュレータを備える熱交換器を提供することである。
【０００６】
開示された発明の他の目的は、３種以上の媒体の間において望ましい熱交換を提供でき、かつ、モジュレータを備える熱交換器を提供することである。
【０００７】
開示された発明の他の目的は、発熱機器を冷却するための媒体から、液冷媒を貯めるモジュレータへの熱的な悪影響を抑制した熱交換器を提供することである。
【０００８】
開示された発明のさらに他の目的は、発明者らが特願２０１１−１２３１９９号、または特願２０１１−８２７５９号において提案した熱交換器のさらなる改良を提供することである。
【課題を解決するための手段】
【０００９】
開示された発明は上記目的を達成するために以下の技術的手段を採用する。
【００１０】
請求項１に記載の発明は、冷凍サイクルから供給される冷媒のための複数の冷媒チューブ（１６ａ）、および車両に搭載された発熱機器（ＨＳ）の温度を調節するための媒体のための複数の媒体チューブ（４３ａ）を含む複数のチューブ（１６ａ、４３ａ）が空気と熱交換可能に配置されたコア部（７１）と、冷媒チューブの両端と連通するように接続された冷媒タンク（ＲＦＴ）、および媒体チューブの両端と連通するように接続された媒体タンク（ＷＴＴ）を含み、コア部の両端に設けられたタンク部（７２、７５）と、複数の冷媒チューブによって構成される冷凍サイクル放熱器に含まれる凝縮部と過冷却部との間に設けられ、冷媒を蓄えるモジュレータであって、タンク部の隣に配置され、冷媒タンクと接続されたモジュレータ（８０）とを備え、冷媒から空気へ放熱するための冷凍サイクル放熱器（１６）、媒体から空気へ放熱するための発熱機器放熱器（４３）、およびモジュレータ（８０）が、一体として取り扱いが可能なユニット（７０）として構成されていることを特徴とする。
【００１１】
この構成によると、一体として取り扱いが可能なユニット、すなわちひとつの熱交換器に、冷凍サイクル放熱器と、発熱機器放熱器と、モジュレータとを備えることができる。
【００１２】
請求項２に記載の発明は、モジュレータ（８０）は冷媒タンク（ＲＦＴ）に接触しており、モジュレータ（８０）は媒体タンク（ＷＴＴ）に接触しているか、または接触しておらず、モジュレータ（８０）と冷媒タンク（ＲＦＴ）との間の熱伝達を規定する断面積は、モジュレータ（８０）と媒体タンク（ＷＴＴ）との間の熱伝達を規定する断面積より大きいことを特徴とする。この構成によると、モジュレータと媒体タンクとの間の熱伝達を抑制することができる。
【００１３】
請求項３に記載の発明は、モジュレータ（８０）は冷媒タンク（ＲＦＴ）だけに接触していることを特徴とする。この構成によると、モジュレータと媒体タンクとの間の熱伝達を抑制することができる。
【００１４】
請求項４に記載の発明は、タンク部（７２、７５）の中を仕切ること（７２ｃ、７３ｆ、７０ａ、７０ｂ、７０ｃ、７２ｃ１、７２ｃ２、７２ｃ３、７２ｂ１）により冷媒タンク（ＲＦＴ）と媒体タンク（ＷＴＴ）とが形成されていることを特徴とする。この構成によると、タンク部が仕切られることによってタンク部の剛性が高められる。
【００１５】
請求項５に記載の発明は、タンク部（７２、７５）は、凝縮部の最後の集合タンク（１６ｅ）、および過冷却部の最初の分配タンク（１６ｆ）を提供しており、モジュレータは、モジュレータの上部において開口する入口開口を含む入口通路（８３）を通して集合タンクと連通しており、モジュレータの下部において開口する出口開口を含む出口通路（８４）を通して分配タンクと連通していることを特徴とする。この構成によると、冷媒は、上部の入口開口からモジュレータ内に流入し、下部の出口開口からモジュレータ外へ流出する。冷媒は、モジュレータ内において気相冷媒と液相冷媒とに分離される。出口開口が下部に開口することによって、過冷却部へ液相冷媒が供給される。
【００１６】
請求項６に記載の発明は、コア部の一方に配置されたタンク部（７２）は、外側に位置する外側タンク（７３）と、外側タンクとコア部との間に位置する内側タンク（７４）とを有しており、外側タンク（７３）は、集合タンク（１６ｅ）、および分配タンク（１６ｆ）を提供しており、モジュレータは、外側タンク（７３）に隣接して配置されていることを特徴とする。この構成によると、タンク部の外側に位置付けられた外側タンクに集合タンクと分配タンクとが設けられる。このため、集合タンクとモジュレータとの連通、および分配タンクとモジュレータとの連通が、簡単な構造によって提供される。
【００１７】
請求項７に記載の発明は、コア部の一方に配置されたタンク部（７２）は、冷媒タンク（ＲＦＴ）と、冷媒タンクに隣接して配置された媒体タンク（ＷＴＴ）とを有しており、冷媒タンク（ＲＦＴ）は、集合タンク（１６ｅ）、および分配タンク（１６ｆ）を提供しており、モジュレータは、冷媒タンク（ＲＦＴ）に隣接して配置されていることを特徴とする。この構成によると、冷媒タンクと媒体タンクとが隣接して配置された構成であっても、モジュレータと冷媒タンクとを隣接して配置することができる。このため、集合タンクとモジュレータとの連通、および分配タンクとモジュレータとの連通が、簡単な構造によって提供される。
【００１８】
請求項８に記載の発明は、モジュレータが集合タンク（１６ｅ）、および分配タンク（１６ｆ）に隣接して配置されていることを特徴とする。この構成によると、集合タンクとモジュレータとの連通、および分配タンクとモジュレータとの連通が、短い距離で提供される。
【００１９】
請求項９に記載の発明は、集合タンク（１６ｅ）は、重力方向に関して、分配タンク（１６ｆ）より上に位置付けられており、モジュレータは、集合タンク（１６ｅ）から冷媒を受け入れ、集合タンクより下に位置する分配タンク（１６ｆ）に冷媒を供給することを特徴とする。この構成によると、モジュレータによって、上に位置する集合タンクから、下に位置する分配タンクへ冷媒を流すことができる。
【００２０】
請求項１０に記載の発明は、集合タンク（１６ｅ）は、空気（ＡＲ）の流れ方向に関して、分配タンク（１６ｆ）より上流側、または下流側に位置付けられており、モジュレータは、集合タンク（１６ｅ）から冷媒を受け入れ、集合タンクより上流側、または下流側に位置する分配タンク（１６ｆ）に冷媒を供給することを特徴とする。この構成によると、空気の流れ方向に沿って集合タンクと分配タンクとが配置される。モジュレータは、集合タンクから分配タンクへ冷媒を流すことができる。
【００２１】
請求項１１に記載の発明は、入口通路および出口通路の少なくともひとつは、モジュレータとタンク部との間の接続部（８２）に設けられており、モジュレータに形成された貫通穴（８３ａ、８４ａ）と、タンク部に形成された貫通穴（８３ｂ、８４ｂ）とによって提供されていることを特徴とする。この構成によると、モジュレータの貫通穴とタンク部の貫通穴とを直接的に連通させることによって、通路を提供することができる。
【００２２】
請求項１２に記載の発明は、入口通路および出口通路の少なくともひとつは、モジュレータ内とタンク部内とを連通する通路を提供する部材（８２ａ、８２ｂ、８２ｃ、８２ｄ）によって提供されていることを特徴とする。この構成によると、配管などの部材によって通路を提供することができる。
【００２３】
請求項１３に記載の発明は、コア部の一方に配置されたタンク部（７２）は、外側に位置する外側タンク（７３）と、外側タンクとコア部との間に位置する内側タンク（７４）とを有しており、内側タンク（７４）は、集合タンク（１６ｅ）、または分配タンク（１６ｆ）を提供しており、入口通路および出口通路の少なくともひとつは、モジュレータ内と内側タンク内とを連通する通路を提供する部材（８２ｂ、８２ｃ、８２ｄ）によって提供されており、当該部材は外側タンクを迂回して、または外側タンクを貫通していることを特徴とする。この構成によると、内側タンクに集合タンクまたは分配タンクを配置することができる。
【００２４】
請求項１４に記載の発明は、タンク部（７２、７５）は重力方向の上下に配置された上のタンク部（７５）と下のタンク部（７２）とを含み、モジュレータ（８０）は、上のタンク部と下のタンク部との間に挟まれて、または隣接して配置された容器（８１）を備えることを特徴とする。この構成によると、タンク部が上下に配置された熱交換器を提供できる。
【００２５】
請求項１５に記載の発明は、下のタンク部（７２）は、過冷却部（１６ｄ）の最初の分配タンク（１６ｆ）を提供しており、容器（８１）は、下のタンク部（７２）より上に位置付けられており、出口通路（８４）は、容器の底と分配タンク（１６ｆ）とを連通することを特徴とする。この構成によると、確実に液冷媒を分配タンクに供給できる。
【００２６】
請求項１６に記載の発明は、上のタンク部（７５）および／または下のタンク部（７２）は、コア部より突出した突出部分を有し、モジュレータは突出部分に接続されていることを特徴とする。この構成によると、モジュレータの突出を抑制できる。
【００２７】
請求項１７に記載の発明は、コア部（７１）は、冷媒チューブ（１６ａ）と媒体チューブ（４３ａ）とが混在して配置された第１の部分（７１ａ）と、冷媒チューブ（１６ａ）だけが配置された第２の部分（７１ｂ）とを含み、凝縮部（１６ｃ）は、第１の部分によって提供され、過冷却部（１６ｄ）は、第２の部分によって提供されていることを特徴とする。この構成によると、第１の部分では、冷媒と空気との熱交換と、媒体と空気との熱交換との両方が提供される。一方、第２の部分では、冷媒と空気との熱交換だけが提供される。このため、過冷却部に適した熱交換性能を実現することができる。また、過冷却部においては、媒体から冷媒への影響を抑制することができる。
【００２８】
請求項１８に記載の発明は、冷媒チューブ（１６ａ）と媒体チューブ（４３ａ）とは、凝縮部（１６ｃ）と過冷却部（１６ｄ）との両方において混在して配置されていることを特徴とする。この構成によると、コア部の全体において冷媒と空気との熱交換と、媒体と空気との熱交換との両方が提供される。このため、冷媒チューブと媒体チューブとを熱交換器の全体に分散して配置することができる。
【００２９】
請求項１９に記載の発明は、冷媒チューブ（１６ａ）と媒体チューブ（４３ａ）とは、空気（ＡＲ）の流れ方向と直交する方向（ＲＤ）に列（７１ｃ、７１ｄ）をなすように配置されており、列内において隣接して配置された冷媒チューブ（１６ａ）と媒体チューブ（４３ａ）とは熱的に結合されていることを特徴とする。この構成によると、熱交換器の中の少なくとも一部分において、冷媒チューブと媒体チューブとは熱的に結合されている。
【００３０】
請求項２０に記載の発明は、冷媒タンク（ＲＦＴ）は、空気の流れ方向に沿って上流側に位置する上流室（ＵＰＣ）と上流室より下流に位置する下流室（ＤＷＣ）とを区画しており、モジュレータは、上流室と下流室との間を連通する冷媒のための通路を提供していることを特徴とする。この構成によると、冷凍サイクル放熱器と発熱機器放熱器とをユニット内に構成するために、冷媒タンクは、上流室と下流室とを備える。このような構成においても、モジュレータによって、上流室と下流室との間を連通する冷媒のための通路を提供することができる。
【００３１】
なお、特許請求の範囲および上記手段の項に記載した括弧内の符号は、ひとつの態様として後述する実施形態に記載の具体的手段との対応関係を示すものであって、開示された発明の技術的範囲を限定するものではない。
【図面の簡単な説明】
【００３２】
【図１】開示された発明の第１実施形態に係る車両用の熱交換器と、熱交換器を利用する流体回路を示すブロック図である。
【図２】第１実施形態の熱交換器の平面図である。
【図３】第１実施形態の熱交換器の簡単化した斜視図である。
【図４】図２のＩＶ−ＩＶ断面を示す部分断面図である。
【図５】図２のＶ−Ｖ断面を示す部分断面図である。
【図６】図２のＶＩ−ＶＩ断面を示す部分断面図である。
【図７】第１実施形態の熱交換器の部分的な分解斜視図である。
【図８】第１実施形態の熱交換器における冷媒の流れを示す斜視図である。
【図９】第１実施形態の熱交換器の簡単化した上面図である。
【図１０】開示された発明の第２実施形態の熱交換器の部分的な分解斜視図である。
【図１１】開示された発明の第３実施形態の熱交換器の部分的な分解斜視図である。
【図１２】開示された発明の第４実施形態の熱交換器の部分的な分解斜視図である。
【図１３】開示された発明の第５実施形態の熱交換器の簡単化した斜視図である。
【図１４】第５実施形態の熱交換器の部分的な分解斜視図である。
【図１５】開示された発明の第６実施形態の熱交換器の部分的な分解斜視図である。
【図１６】開示された発明の第７実施形態の熱交換器の部分的な分解斜視図である。
【図１７】開示された発明の第８実施形態の熱交換器の簡単化した斜視図である。
【図１８】第８実施形態の熱交換器の部分断面図である。
【図１９】第８実施形態の熱交換器の部分断面図である。
【図２０】第８実施形態の熱交換器の部分断面図である。
【図２１】開示された発明の第９実施形態の熱交換器の簡単化した斜視図である。
【図２２】第９実施形態の熱交換器における冷媒の流れを示す斜視図である。
【図２３】開示された発明の第１０実施形態の熱交換器の簡単化した斜視図である。
【図２４】第１０実施形態の熱交換器の部分断面図である。
【図２５】第１０実施形態の熱交換器の部分断面図である。
【図２６】第１０実施形態の熱交換器における冷媒の流れを示す斜視図である。
【図２７】開示された発明の第１１実施形態の熱交換器の簡単化した斜視図である。
【図２８】第１１実施形態の熱交換器における冷媒の流れを示す斜視図である。
【図２９】開示された発明の第１２実施形態の熱交換器の簡単化した上面図である。
【図３０】第１２実施形態の熱交換器の部分断面図である。
【図３１】開示された発明の第１３実施形態の熱交換器の簡単化した斜視図である。
【図３２】開示された発明の第１４実施形態の熱交換器の簡単化した斜視図である。
【図３３】第１４実施形態の熱交換器の部分断面図である。
【図３４】開示された発明の第１５実施形態の熱交換器の簡単化した斜視図である。
【図３５】開示された発明の第１６実施形態の熱交換器の簡単化した斜視図である。
【図３６】開示された発明の第１７実施形態の熱交換器の簡単化した上面図である。
【図３７】第１７実施形態の熱交換器の部分断面図である。
【図３８】開示された発明の第１８実施形態の熱交換器の簡単化した上面図である。
【図３９】開示された発明の第１９実施形態の熱交換器の簡単化した上面図である。
【図４０】第１９実施形態の熱交換器の部分的な斜視図である。
【図４１】第１９実施形態の熱交換器の部分断面図である。
【図４２】第１９実施形態の熱交換器の部分断面図である。
【図４３】開示された発明の第２０実施形態の熱交換器の簡単化した上面図である。
【図４４】開示された発明の第２１実施形態の熱交換器の簡単化した斜視図である。
【図４５】開示された発明の第２２実施形態の熱交換器の簡単化した斜視図である。
【図４６】開示された発明の第２３実施形態の熱交換器の簡単化した斜視図である。
【図４７】開示された発明の第２４実施形態の熱交換器の簡単化した斜視図である。
【図４８】開示された発明の第２５実施形態の熱交換器の簡単化した斜視図である。
【図４９】開示された発明の第２６実施形態の熱交換器の簡単化した上面図である。
【図５０】第２６実施形態の熱交換器の部分断面図である。
【図５１】開示された発明の第２７実施形態の熱交換器の部分断面図である。
【図５２】開示された発明の第２８実施形態の熱交換器の部分断面図である。
【図５３】開示された発明の第２９実施形態の熱交換器の分解斜視図である。
【図５４】開示された発明の第３０実施形態の熱交換器の部分断面図である。
【図５５】第３０実施形態の熱交換器の部分断面図である。
【図５６】開示された発明の第３１実施形態の熱交換器の斜視断面図である。
【図５７】開示された発明の第３２実施形態の熱交換器の斜視断面図である。
【図５８】開示された発明の第３３実施形態の熱交換器の簡単化した上面図である。
【図５９】第３３実施形態の熱交換器の部分断面図である。
【図６０】先行する実施形態の熱交換器の部分断面図である。
【図６１】先行する実施形態の熱交換器の部分断面図である。
【図６２】開示された発明の第３４実施形態の熱交換器の部分断面図である。
【図６３】開示された発明の第３５実施形態の熱交換器の部分断面図である。
【図６４】開示された発明の第３６実施形態の熱交換器の部分断面図である。
【図６５】開示された発明の第３７実施形態の熱交換器の部分断面図である。
【図６６】開示された発明の第３８実施形態の熱交換器の部分断面図である。
【発明を実施するための形態】
【００３３】
以下に、図面を参照しながら開示された発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。また、後続の実施形態においては、先行する実施形態で説明した事項に対応する部分に百以上の位だけが異なる参照符号を付することにより対応関係を示し、重複する説明を省略する場合がある。各実施形態で具体的に組合せが可能であることを明示している部分同士の組合せばかりではなく、特に組合せに支障が生じなければ、明示してなくとも実施形態同士を部分的に組み合せることも可能である。
【００３４】
（第１実施形態）
図１において、開示された発明のひとつの実施形態によって、車両用の空調装置１が提供される。空調装置１は、冷房のための冷凍サイクルを構成する冷媒回路１０を備える。空調装置１は、開示された発明を適用した熱交換器７０を備える。車両には、車両に搭載された外部熱源ＨＳの温度調節のための冷却水回路４０が搭載されている。冷媒回路１０と冷却水回路４０とは、熱交換器７０を介し熱的に関連している。
【００３５】
空調装置１は、走行用の動力を、内燃機関（エンジン）および電動発電機から得る、いわゆるハイブリッド車両に適合されている。外部熱源ＨＳとして、作動時に発熱を伴う車載機器の一つを利用することができる。外部熱源ＨＳは、ハイブリッド車両のエンジン、電動発電機、インバータ回路、電池、制御回路などの少なくともひとつによって提供される。外部熱源ＨＳは、冷却水ＷＴに熱を供給する。外部熱源は、車両に搭載された発熱機器である。冷却水ＷＴは、外部熱源ＨＳの温度を調節するための媒体である。冷却水ＷＴは媒体ＷＴとも呼ばれる。冷却水回路４０は、外部熱源ＨＳを冷却し、適正な温度に保つための冷却系統でもある。空調装置１は、エンジンのみを動力源とする車両、ハイブリッド車両、および電動機のみを動力源とする車両のいずれかに利用することができる。
【００３６】
空調装置１は、冷媒回路２によって供給される冷熱によって冷房を提供する。空調装置１は、空調対象空間である車室内に向けて空気ＵＲを送風する空調ユニット３０を備える。空調装置１は、冷媒回路１０、冷却水回路４０、および空調ユニット３０を制御する制御装置（ＣＮＴＲ）１００を備える。
【００３７】
制御装置１００は、コンピュータによって読み取り可能な記憶媒体を備えるマイクロコンピュータによって提供される。記憶媒体は、コンピュータによって読み取り可能なプログラムを非一時的に格納している。記憶媒体は、半導体メモリまたは磁気ディスクによって提供されうる。プログラムは、制御装置１００によって実行されることによって、制御装置１００をこの明細書に記載される装置として機能させ、この明細書に記載される制御方法を実行するように制御装置１００を機能させる。制御装置１００が提供する手段は、所定の機能を達成する機能的ブロック、またはモジュールとも呼ぶことができる。
【００３８】
制御装置１００は、機器１１、１７、４１、４２の作動を制御する。制御装置１００には、複数のセンサが接続されている。制御装置１００は、冷媒回路１０に流れる冷媒量を制御する制御手段を提供する。冷媒量は、圧縮機１１の冷媒吐出能力を調節することによって制御される。また、制御装置１００は、冷却水回路における冷却水の流れ、および流路を制御する制御手段を提供する。冷却水の流れはポンプ４１を制御することによって制御される。冷却水の流路は三方弁４２を制御することによって制御される。制御装置１００は、冷却水ＷＴの温度が所定の上限温度を下回り、かつ、所定の下限温度を上回るように冷却水回路４０を制御する。
【００３９】
空調ユニット３０は、車室内に配置されている。空調ユニット３０は、車室に向けて送られる空気ＵＲのダクトを提供するケーシング３１を備える。空調ユニット３０は、ケーシング３１に、送風機３２、ヒータコア１２、蒸発器２０などの部品を配置して構成されている。ケーシング３１内の最上流部には、車室内の空気と、車室外の空気とを選択的に、または混合して導入する内外気切替装置３３が配置されている。内外気切替装置３３の下流側には、空気ＵＲを送風するための送風機３２が配置されている。
【００４０】
送風機３２の下流側には、蒸発器２０およびヒータコア１２が、空気ＵＲの流れに対して、この順に配置されている。蒸発器２０は、ヒータコア１２に対して、上流側に配置されている。蒸発器２０は、その内部を流通する冷媒と空気ＵＲとを熱交換させ、空気ＵＲを冷却する冷却用熱交換器である。ヒータコア１２は、その内部を流れる冷却水ＷＴ、または電気ヒータによって空気ＵＲを加熱する加熱用熱交換器である。
【００４１】
蒸発器２０の下流側であって、かつ、ヒータコア１２の上流側には、エアミックスドア３４が配置されている。エアミックスドア３４は、蒸発器２０通過後の空気ＵＲのうち、ヒータコア１２を通過する割合を調整する。ヒータコア１２の下流側には、混合空間３５が設けられている。混合空間３５は、ヒータコア１２にて加熱された空気ＵＲと、ヒータコア１２を迂回して加熱されていない空気ＵＲとを混合させる。混合空間３５の下流は、吹出口を介して車室内に連通している。
【００４２】
冷媒回路１０は、蒸気圧縮式冷凍サイクルによって提供される。冷媒回路１０は、空調装置１の冷房用の冷媒サイクルである。冷媒回路１０は、冷媒系統とも呼ばれる。冷媒回路１０は、後述する冷媒チューブ１６ａに冷媒ＲＦを流し、冷媒ＲＦの熱を空気ＡＲまたは冷却水ＷＴに放熱する。
【００４３】
冷媒回路１０は、車室内を冷房する冷房運転（ＣＯＯＬ）を実行できる。さらに、冷媒回路１０は、冷房運転の間に、冷却水ＷＴに向けて放熱する冷房補助運転を実行できる。これらの複数の運転モードは、制御装置１００によって切換えられる。
【００４４】
圧縮機１１は、エンジンルーム内に配置されている。圧縮機１１は、冷媒回路１０において低圧冷媒を吸入し、圧縮することにより、高圧冷媒を供給する。圧縮機１１は、スクロール型、ベーン型などの圧縮機構部１１ａと、圧縮機構部１１ａを駆動する電動モータ１１ｂとを備える。電動モータ１１ｂは、制御装置１００によって制御される。
【００４５】
圧縮機１１の吐出側には、室外熱交換器１６が設けられている。室外熱交換器１６は、エンジンルーム内に配置されている。室外熱交換器１６は、高圧冷媒が供給され、高圧冷媒から空気ＡＲまたは冷却水ＷＴへ熱を放熱する。室外熱交換器１６は、凝縮器とも呼ばれる。室外熱交換器１６は、凝縮部１６ｃと、過冷却部１６ｄとを備える。凝縮部１６ｃは、高温高圧冷媒を冷却する。通常の冷房負荷において、凝縮部１６ｃは、冷媒を凝縮させ、液相冷媒、または気液二相冷媒を供給する。過冷却部１６ｄは、液相冷媒をさらに冷却する。通常の冷房負荷において、過冷却部１６ｄは、過冷却状態の液相冷媒を供給する。
【００４６】
凝縮部１６ｃと過冷却器１６ｄとの間には、モジュレータ８０が設けられている。モジュレータ８０は、液相冷媒を過冷却部１６ｄに供給する気液分離器として機能する。モジュレータ８０は、余剰冷媒を貯める冷媒溜まりとしても機能できる。モジュレータ８０は、冷媒タンク、レシーバ、または気液分離器とも呼ばれる。モジュレータ８０は、内部に冷媒を貯めることができるタンクとして構成されている。室外熱交換器１６から供給された冷媒は、モジュレータ８０に気体冷媒と液体冷媒との界面を形成する。モジュレータ８０は、冷媒回路１０の冷房負荷に応じて上記界面が上下することによって余剰冷媒を貯留する。モジュレータ８０は、内部に溜まった液冷媒を送り出す。モジュレータ８０からの出口は、モジュレータ８０内の下部に開設される。モジュレータ８０への入口と出口とは、上記出口への気体冷媒の混入を抑制するような位置関係に置かれる。例えば、入口を上部に配置し、出口を下部に配置することができる。また、入口と出口との間に、気液の分離を促進する隔壁、または通路を設けてもよい。室外熱交換器１６とモジュレータ８０とは、一体物として取り扱い可能なユニットとして構成されている。
【００４７】
過冷却部１６ｄの下流には、冷房用の膨張弁１９が設けられている。膨張弁１９は、減圧手段である。膨張弁１９は、高圧冷媒を減圧し低圧冷媒を供給する減圧器を提供する。減圧器は、オリフィス、キャピラリチューブなどによって提供することができる。膨張弁１９の下流には、蒸発器２０が設けられている。さらに、蒸発器２０の下流には、圧縮機１１が設けられている。
【００４８】
冷却水回路４０は、熱運搬媒体かつ蓄熱媒体として利用される冷却水ＷＴを流すことができる。外部熱源ＨＳを含む冷却水回路４０は、水系統、または外部熱源系統と呼ばれる。
【００４９】
冷却水回路４０は、冷却水回路４０は、外部熱源ＨＳに冷却水ＷＴを循環させて、外部熱源ＨＳを冷却する冷却媒体循環回路である。冷却水回路４０は、ポンプ４１、電気式の三方弁４２、ラジエータ４３、ラジエータ４３を迂回させて冷却水ＷＴを流すためのバイパス通路４４などの部品を備える。
【００５０】
ポンプ４１は、冷却水回路４０に冷却水を圧送する電動式のポンプである。三方弁４２は、冷却水回路４０における流路を切り替える。三方弁４２は、外部熱源ＨＳとラジエータ４３とを通る流路と、外部熱源ＨＳとバイパス通路４４とを通る流路とを切り替える。ラジエータ４３は、エンジンルーム内に配置されている。ラジエータ４３は、冷却水ＷＴと空気ＡＲとを熱交換させる放熱用熱交換器である。バイパス通路４４は、ラジエータ４３を迂回する流路を提供する。ポンプ４１、三方弁４２、およびバイパス通路４４は、ラジエータ４３に供給される冷却水ＷＴの流量を調節する流量調節器を提供する。流量調節器は、ラジエータ４３を迂回して冷却水ＷＴを流すバイパス通路４４と、バイパス通路４４に冷却水ＷＴを流すことによりラジエータ４３に流れる流量を減少させる弁装置４２を備える。
【００５１】
室外熱交換器１６とラジエータ４３とは、一体的に構成されて、熱交換器７０を構成している。熱交換器７０は、一体のユニットとして取り扱いが可能な熱交換器ユニットである。室外熱交換器１６とラジエータ４３とは、隣接して配置することができる。熱交換器７０において、室外熱交換器１６とラジエータ４３とは、熱的に結合されている。室外熱交換器１６とラジエータ４３とは、熱伝導に優れた部材を介して機械的にも熱的にも密接に結合して構成することができる。また、室外熱交換器１６とラジエータ４３とは、部材を介して機械的に結合されるが、熱的な観点では、空気ＡＲを介して間接的に弱く結合するように構成することができる。ファン１７は、電動式送風機である。ファン１７は、室外熱交換器１６およびラジエータ４３の双方に向けて空気ＡＲを送風する室外送風手段を提供している。
【００５２】
冷媒回路１０が運転されると、車室内の冷房が実行される。冷房運転は、車両の利用者によって操作されるスイッチによって起動される。冷媒回路１０には、図１の実線矢印に示すように冷媒が流れる。圧縮機１１から吐出された高圧冷媒は、室外熱交換器１６へ流入する。室外熱交換器１６へ流入した高圧冷媒は、ファン１７によって送風された空気ＡＲに放熱する。室外熱交換器１６から流出した冷媒は、膨張弁１９にて減圧膨張される。膨張弁１９から流出した冷媒は、蒸発器２０へ流入して、空気ＵＲから吸熱して蒸発する。これにより、空気ＵＲが冷却される。蒸発器２０から流出した冷媒は、圧縮機１１に吸入されて再び圧縮される。
【００５３】
一方、冷却水回路４０が運転されると、冷却水回路４０には冷却水ＷＴが循環する。冷却水回路４０は、冷却水温度Ｔｗが基準温度を上回ると三方弁４２が冷却水をラジエータ４３へ流入させ、冷却水温度Ｔｗが基準温度を下回ると三方弁４２が冷却水をバイパス通路４４へ迂回させるように制御される。図１では、冷却水の流れを破線矢印で示している。三方弁４２によって冷却水ＷＴがラジエータ４３に流されるとき、ラジエータ４３は、冷却水ＷＴと空気ＡＲとを熱交換させる。さらに、ラジエータ４３に流れる冷却水ＷＴは、室外熱交換器１６に流れる冷媒から熱を奪うことがある。この場合、冷媒回路１０による冷房能力が補助され、高められる。三方弁４２によって冷却水ＷＴがバイパス通路４４に流されるとき、冷却水ＷＴは、ラジエータ４３を迂回して循環する。このとき、冷却水ＷＴはラジエータ４３にて放熱することなく、その温度を上昇させる。
【００５４】
図２において、熱交換器７０の正面図が図示されている。熱交換器７０は、冷媒ＲＦ、冷却水ＷＴ、および空気ＡＲの三者間の熱交換を提供する。熱交換器７０は、冷媒ＲＦと冷却水ＷＴとの間、冷媒ＲＦと空気ＡＲとの間、および冷却水ＷＴと空気ＡＲとの間の熱交換を提供する。熱交換器７０は、冷媒または冷却水を流通させる複数のチューブ、複数のチューブの両端に配置された集合タンクおよび分配タンクなどの部品を有する。熱交換器７０は、室外熱交換器１６としての部品と、ラジエータ４３としての部品とを有している。それらの部品は、熱的に結合されている。
【００５５】
熱交換器７０は、コア部７１と、タンク部７２、７５と、モジュレータ８０とを備える。熱交換器７０は、室外熱交換器１６、ラジエータ４３、およびモジュレータ８０が、一体として取り扱いが可能なユニット（７０）として構成された部品である。コア部７１では、複数のチューブ１６ａ、４３ａが空気ＡＲと熱交換可能に配置されている。
【００５６】
複数のチューブ１６ａ、４３ａは、冷凍サイクルから供給される冷媒のための複数の冷媒チューブ１６ａを含む。複数の冷媒チューブ１６ａによって、冷凍サイクル放熱器としての室外熱交換器１６が構成されている。室外熱交換器１６は、冷媒ＲＦから空気ＡＲへ放熱するための冷凍サイクル放熱器である。
【００５７】
さらに、複数のチューブ１６ａ、４３ａは、車両に搭載された発熱機器ＨＳの温度を調節するための冷却水ＷＴのための複数の水チューブ４３ａを含む。水チューブ４３ａは媒体チューブ４３ａとも呼ばれる。複数の水チューブ４３ａによって、発熱機器放熱器としてのラジエータ４３が構成されている。ラジエータ４３は、冷却水ＷＴから空気ＡＲへ放熱するための発熱機器放熱器である。
【００５８】
タンク部７２、７５は、コア部７１の両端に設けられている。タンク部７２は、冷媒タンクＲＦＴおよび冷却水タンクＷＴＴを含む。タンク部７５は、冷媒タンクＲＦＴおよび冷却水タンクＷＴＴを含む。冷却水タンクＷＴＴは、媒体タンクとも呼ばれる。タンク部７２における冷媒タンクＲＦＴは、外側タンク７３とも呼ばれる。タンク部７２における冷却水タンクＷＴＴは、内側タンク７４とも呼ばれる。タンク部７５における冷却水タンクＷＴＴは、内側タンク７６とも呼ばれる。タンク部７５における冷媒タンクＲＦＴは、内側タンク７７とも呼ばれる。冷媒タンクＲＦＴのそれぞれは、冷媒チューブ１６ａの両端と連通するように接続されている。冷却水タンクＷＴＴのそれぞれは、水チューブ４３ａの両端と連通するように接続されている。
【００５９】
モジュレータ８０は、タンク部７２の隣に配置されている。モジュレータ８０は、タンク部７２の隣であって、かつコア部７１の反対側に位置するように配置されている。モジュレータ８０は、室外熱交換器１６に含まれる凝縮部１６ｃと過冷却部１６ｄとの間に設けられ、冷媒ＲＦを蓄える。
【００６０】
室外熱交換器１６は、内部に冷媒を流通させる複数の冷媒チューブ１６ａを有している。冷媒チューブ１６ａは、冷媒ＲＦが流される熱交換用のチューブである。冷媒チューブ１６ａは、長手方向に垂直な断面の形状が扁平形状の扁平チューブである。
【００６１】
ラジエータ４３は、内部に冷却水ＷＴを流通させる複数の水チューブ４３ａを有している。水チューブ４３ａは、外部熱源ＨＳの温度調節のための媒体が流される熱交換用のチューブである。水チューブ４３ａは、長手方向に垂直な断面の形状が扁平形状の扁平チューブである。以下、冷媒チューブ１６ａと水チューブ４３ａとをチューブ１６ａ、４３ａと呼ぶ。
【００６２】
複数のチューブ１６ａ、４３ａは、それらの外表面の広い平坦面が、空気ＡＲの流れに対してほぼ平行となるように配置されている。複数のチューブ１６ａ、４３ａは、互いに所定の間隔を開けて配置されている。複数のチューブ１６ａ、４３ａの周囲には、空気ＡＲが流れるための空気通路１６ｂ、４３ｂが形成されている。空気通路１６ｂ、４３ｂは、放熱用空気通路として使われる。
【００６３】
空気通路１６ｂ、４３ｂには、フィン５０が配置されている。フィン５０は、チューブ１６ａ、４３ａと空気ＡＲとの熱交換を促進させるためのアウターフィンである。フィン５０は、列において隣接する２つのチューブ１６ａ、４３ａに接合されている。さらに、フィン５０は、空気ＡＲの流れ方向に位置する２つのチューブ１６ａ、４３ａに接合されている。よって、ひとつのフィン５０には、少なくとも４本のチューブ１６ａ、４３ａが接合されている。フィン５０は、室外熱交換器１６とラジエータ４３とを一体化している。フィン５０は、伝熱性に優れる金属の薄板により作られている。フィン５０は、薄板を波状に曲げ成形したコルゲートフィンである。フィン５０は、冷媒ＲＦと空気ＡＲとの熱交換を促進する。フィン５０は、冷却水ＷＴと空気ＡＲとの熱交換を促進する。少なくとも一部のフィン５０は、冷媒チューブ１６ａおよび水チューブ４３ａの双方に接合されている、よって、フィン５０は、冷媒チューブ１６ａと水チューブ４３ａとの間の熱移動を可能とする機能も果たす。複数のチューブ１６ａ、４３ａは、熱交換器７０の少なくとも一部において熱的に結合して配置されている。ひとつの冷媒チューブ１６ａの両側に配置された２つのフィン５０は、冷媒チューブ１６ａの両面に複数の山部を接合したコルゲートフィンである。
【００６４】
熱交換器７０は、コア部７１と、タンク部７２、７５とを備える。コア部７１は、チューブ１６ａ、４３ａとフィン５０とを配置することによって形成されている。フィン５０は、それに隣接するチューブ１６ａ、４３ａに接合されている。複数のチューブ１６ａ、チューブ４３ａと、複数のフィン５０とが積層され、接合されることによってコア部が形成されている。コア部７１は、冷媒ＲＦと、冷却水ＷＴと、空気ＡＲとを含む複数、例えば３つの流体の間の熱交換を提供している。コア部７１は、熱交換部とも呼ばれる。コア部７１は、凝縮部１６ｃを提供する第１の部分７１ａと、過冷却部１６ｄを提供する第２の部分７１ｂとを提供する。典型例において、第１の部分７１ａは上部を提供し、第２の部分７１ｂは下部を提供する。
【００６５】
タンク部７２、７５は、コア部７１の両端に配置されている。２つのタンク部７２、７５のそれぞれは、コア部７１から離れて位置する外側タンク７３、７６と、コア部７１に隣接する内側タンク７４、７７とを有する。内側タンク７４、７７は、外側タンク７３、７６とコア部７１との間に配置されている。外側タンク７３、７６と内側タンク７４、７７とは、コア部７１の端部において、コア部７１の端部のほぼ全体を覆うように広がっている。よって、コア部７１の一端には、外側タンク７３と内側タンク７４とが積層して配置されている。コア部７１の他端にも、外側タンク７６と内側タンク７７とが積層して配置されている。
【００６６】
この実施形態では、外側タンク７３は冷媒ＲＦのための分配タンクと集合タンクとを提供する。分配タンクは、冷媒ＲＦを複数の冷媒チューブ１６ａに分配する。集合タンクは、複数の冷媒チューブ１６ａから冷媒ＲＦを集める。外側タンク７３には、冷媒入口７８ａと、冷媒出口７８ｂとが接合されている。外側タンク７６は、冷却水ＷＴのための分配タンクと集合タンクとを提供する。分配タンクは、冷却水ＷＴを複数の水チューブ４３ａに分配する。集合タンクは、複数の水チューブ４３ａから冷却水ＷＴを集める。外側タンク７６には、冷却水入口７９ａと、冷却水出口７９ｂとが接合されている。
【００６７】
コア部７１の一端には、冷媒ＲＦのための外側タンク７３と、冷却水ＷＴのための内側タンク７４とが配置されている。コア部７１の他端には、冷却水ＷＴのための外側タンク７３と、冷媒ＲＦのための内側タンク７４とが配置されている。すなわち、コア部７１の両端のそれぞれに、冷媒ＲＦのためのタンクと、冷却水ＷＴのためのタンクとが配置されている。
【００６８】
熱交換器７０の一端、すなわちタンク部７２の横には、モジュレータ８０が設置されている。モジュレータ８０は、タンク部７２に接合され、熱交換器７０の一部品を構成している。モジュレータ８０は、上下方向に長い筒状の容器である。
【００６９】
室外熱交換器１６のタンクおよびラジエータ４３のタンクは、少なくとも部分的に、同一部材にて形成することができる。冷媒チューブ１６ａ、水チューブ４３ａ、タンク、およびフィン５０はアルミニウム合金で作られている。これらの部品は、ろう付け接合されている。
【００７０】
図３は、熱交換器７０の簡単化されたモデルを示している。図示されるように、熱交換器７０は、いわゆるタンクアンドチューブ型の熱交換器である。熱交換器７０のコア部７１には、空気ＡＲが供給される。空気ＡＲは、コア部７１を貫通して流れる。コア部７１は、空気ＡＲの流れに関して、入口側としての上流面と、出口側としての下流面とを有する薄い板状に形成されている。
【００７１】
複数のチューブ１６ａ、４３ａは、空気ＡＲの流れ方向と直交する方向に沿って列をなすように配置されている。図中には、列方向ＲＤ、行方向ＣＤ、およびチューブ１６ａ、４３ａの長さ方向ＬＤが図示されている。列方向ＲＤは、高さ方向、または幅方向とも呼ばれる。列方向ＲＤは、タンク部７２、７５の長さ方向でもある。行方向ＣＤは、奥行き方向、または厚さ方向とも呼ばれる。行方向ＣＤは、空気ＡＲの流れ方向でもある。
【００７２】
タンク部７２、７５は、チューブ１６ａ、４３ａの比較的自由な配置を可能とする。例えば、チューブ１６ａ、またはチューブ４３ａは、空気ＡＲの流れ方向に沿って上流列７１ｃと下流列７１ｄとに分散して配置されている。図示の例においては、下流列７１ｄは、その全体が冷媒チューブ１６ａによって占められている。上流列７１ｃは、冷媒チューブ１６ａと水チューブ４３ａとによって占められている。
【００７３】
タンク部７２、７５内には、凝縮部１６ｃと過冷却部１６ｄとを仕切るための仕切りが形成されている。図示の例においては、コア部７１の上部を凝縮部１６ｃとし、下部を過冷却部１６ｄとして利用するために、冷媒タンクＲＦＴとして機能する外側タンク７３に仕切り７３ａが形成されている。さらに、冷媒タンクＲＦＴとして機能する内側タンク７７にも、仕切り７７ａが設けられている。仕切り７３ａ、７７ａは、熱交換器７０内を上下に二分割するように設けられた上下仕切りと呼ぶことができる。仕切り７３ａ、７７ａは、熱交換器７０内の一部を区画する仕切りによって提供することができる。例えば、熱交換器７０内を、空気ＡＲの流れ方向の上流側と下流側とに仕切る仕切りと併用されてもよい。仕切り７３ａ、７７ａは、室外熱交換器１６内に機能的に異なる凝縮部１６ｃと過冷却部１６ｄとを区画するための機能仕切りとも呼ぶことができる。
【００７４】
さらに、タンク部７２、７５内には、冷媒ＲＦおよび冷却水ＷＴを所定の経路で流すためのひとつまたは複数の仕切りが形成されている。外側タンク７３内には、冷媒ＲＦが凝縮部１６ｃ内を上下方向にＵターン状に流れるための仕切り７３ｂが形成されている。さらに、外部タンク７３内には、冷媒ＲＦが過冷却部１６ｄ内を上下方向にＵターン状に流れるための仕切り７３ｃが形成されている。冷却水タンクＷＴＴとして機能する外側タンク７６には、冷却水ＷＴが上下方向にＵターン状に流れるための仕切り７６ａが形成されている。仕切り７３ｂ、７３ｃ、７６ａは、冷媒ＲＦおよび冷却水ＷＴの経路を規定するための経路仕切りとも呼ぶことができる。
【００７５】
この構成では、タンク７３、７４、７６、７７内は、重力方向に沿って上下に、複数の室に分割されている。この結果、複数の冷媒チューブ１６ａは、凝縮部１６ｃに位置する第１群と、過冷却部１６ｄに位置する第２群とに分割されている。また、第１群の冷媒チューブ１６ａは、凝縮部１６ｃの上部に位置する上部群と、凝縮部１６ｃの下部に位置する下部群とに分割されている。また、第２群の冷媒チューブ１６ａは、過冷却部１６ｄの上部に位置する上部群と、過冷却部１６ｄの下部に位置する下部群とに分割されている。同様に、複数の水チューブ４３ａは、上部に位置する上部群と、下部に位置する下部群とに分割されている。
【００７６】
タンク部７２は、凝縮部１６ｃの最後に位置する集合タンク１６ｅと、過冷却部１６ｄの最初に位置する分配タンク１６ｆとを提供している。集合タンク１６ｅは、外側タンク７３内の仕切り７３ａと仕切り７３ｂとの間に形成されている。分配タンク１６ｆは、外側タンク７３内の仕切り７３ａと仕切り７３ｃとの間に形成されている。よって、集合タンク１６ｅと、分配タンク１６ｆとの両方が、モジュレータ８０に隣接するタンク部７２内、特に外側タンク７３内に位置付けられている。コア部７１、およびタンク部７２、７５は、集合タンク１６ｅと分配タンク１６ｆとの両方がモジュレータ８０に隣接して位置するように構成されている。
【００７７】
集合タンク１６ｅは、重力方向に関して、分配タンク１６ｆより上に位置付けられている。モジュレータ８０は、集合タンク１６ｅから冷媒を受け入れ、集合タンク１６ｅより下に位置する分配タンク１６ｆに冷媒を供給する。この構成によると、モジュレータ８０によって、上に位置する集合タンク１６ｅから、下に位置する分配タンク１６ｆへ冷媒を流すことができる。
【００７８】
コア部７１の一方に配置されたタンク部７２は、外側に位置する外側タンク７３と、外側タンク７３とコア部７１との間に位置する内側タンク７４とを有している。外側タンク７３は、集合タンク１６ｅ、および分配タンク１６ｆを提供しており、モジュレータ８０は、外側タンク７３に隣接して配置されている。この構成によると、タンク部７２の外側に位置付けられた外側タンク７３に集合タンク１６ｅと分配タンク１６ｆとが設けられる。このため、集合タンク１６ｅとモジュレータ８０との連通、および分配タンク１６ｆとモジュレータ８０との連通が、簡単な構造によって提供される。
【００７９】
別の観点では、コア部７１の一方に配置されたタンク部７２は、冷媒タンクＲＦＴ（７３）と、冷媒タンクＲＦＴに隣接して配置された冷却水タンクＷＴＴ（７４）とを有している。冷媒タンクＲＦＴ（７３）は、集合タンク１６ｅ、および分配タンク１６ｆを提供しており、モジュレータ８０は、冷媒タンクＲＦＴ（７３）に隣接して配置されている。この構成によると、冷媒タンクＲＦＴ（７３）と冷却水タンクＷＴＴ（７４）とが隣接して配置された構成であっても、モジュレータ８０と冷媒タンクＲＦＴ（７３）とを隣接して配置することができる。このため、集合タンク１６ｅとモジュレータ８０との連通、および分配タンク１６ｆとモジュレータ８０との連通が、簡単な構造によって提供される。
【００８０】
図４に図示されるように、複数のチューブ１６ａ、４３ａは、空気ＡＲの流れに直交する方向に列をなすように配置されている。さらに、複数のチューブ１６ａ、４３ａは、空気ＡＲの流れ方向に沿って多列をなすように配置されている。複数のチューブ１６ａ、４３ａは、空気ＡＲの流れ方向に関して、少なくとも上流列７１ｃと下流列７１ｄとを含む複数の列を構成している。複数のチューブ１６ａ、４３ａは、二列をなすように配置することができる。複数のチューブ１６ａ、４３ａは、空気ＡＲの流れ方向の上流側に位置する上流列７１ｃと、上流列７１ｃより下流側に位置する下流列７１ｄとを形成するように配置されている。
【００８１】
上流列７１ｃにおいては、少なくとも一部において、冷媒チューブ１６ａと水チューブ４３ａとが隣接している。上流列７１ｃにおいては、少なくとも一部において、冷媒チューブ１６ａの両側に水チューブ４３ａを位置させることができる。上流列７１ｃにおいては、少なくとも一部において、水チューブ４３ａの両側に冷媒チューブ１６ａを位置させることができる。上流列７１ｃにおいては、少なくとも一部において、冷媒チューブ１６ａと水チューブ４３ａとを交互に位置させることができる。少なくとも上流列７１ｃにおいて冷媒チューブ１６ａの両側に水チューブ４３ａが位置するように、冷媒チューブ１６ａと水チューブ４３ａとが交互に配置されている。つまり、熱交換器７０においては、空気ＡＲの流入側において、冷媒チューブ１６ａの両側に水チューブ４３ａを位置させて、それらが並んで配置されている。この構成によると、冷媒チューブ１６ａを広い範囲に分散させることができる。
【００８２】
下流列７１ｄには、冷媒チューブ１６ａのみが配置されている。これに代えて、下流列７１ｄに水チューブ４３ａのみを配置してもよい。また、下流列７１ｄにも、冷媒チューブ１６ａと水チューブ４３ａとの両方を、上流列７１ｃと同じに配置することができる。凝縮部１６ｃの一部では、空気ＡＲの流れ方向に沿って、水チューブ４３ａと冷媒チューブ１６ａとが並んで配置されている。
【００８３】
複数のチューブ１６ａ、４３ａは、多数の水チューブ４３ａが上流列７１ｃに位置し、少数の水チューブ４３ａが下流列７１ｄに位置するように配置することができる。また、複数のチューブ１６ａ、４３ａは、水チューブ４３ａが上流列７１ｃにのみ位置するように配置することができる。これにより、空気ＡＲの流れの上流側にラジエータ４３が主として配置され、下流側に室外熱交換器１６が主として配置された構成が提供される。
【００８４】
複数のチューブ１６ａ、または複数のチューブ４３ａは、コア部７１の内部において、分散して配置されている。チューブ１６ａ、またはチューブ４３ａは、コア部の内部において偏った分布を形成するように配置することができる。コア部におけるチューブ１６ａ、４３ａの配置は、室外熱交換器１６とラジエータ４３とに要求される熱交換の性能に適合するように設定されている。
【００８５】
図５および図６は、凝縮部１６ｃにおけるタンク部７２の断面を示している。タンク部７５も同じ構造を有している。タンク部７２は、コア部７１に面する第１の板状部材７２ａと、外側に面する第２の板状部材７２ｂとを有する。さらに、タンク部７２は、第１の板状部材７２ａと第２の板状部材７２ｂとの間に設けられた中間の板状部材７２ｃを有する。これらの板状部材７２ａ、７２ｂ、７２ｃは、それらの間に外側タンク７３と内側タンク７４とを区画するように接合されている。図示の例においては、第２の板状部材７２ｂは、断面W字型の部材によって提供されている。第２の板状部材７２ｂは、空気ＡＲの流れ方向に関して、上流側に位置する上流突条７２ｄと、この上流突条７２ｄより下流側に位置する下流突条７２ｅとを有している。第２の板状部材７２ｂは、空気ＡＲの流れ方向に関して上流室ＵＰＣと下流室ＤＷＣとを形成しているともいえる。図示されるように、上流室ＵＰＣと下流室ＤＷＣとは連通されている。よって、第２の板状部材７２ｂは、２つの突条７２ｄ、７２ｅ内に一連の容積室を区画している。
【００８６】
タンク７２、７５と、複数のチューブ１６ａ、４３ａとは、冷媒ＲＦおよび冷却水ＷＴを流すために接続されている。複数のチューブ１６ａ、４３ａの一部は、外側タンク７３、７６の内部と連通するように接続されている。複数のチューブ１６ａ、４３ａの残部は内側タンク７４、７７の内部と連通するように接続されている。上記一部のチューブ１６ａ、４３ａは、内側タンク７４、７７の壁、すなわち第１の板状部材を貫通し、さらに内側タンク７４、７７内を横切って延びた後に、外側タンク７３、７６の内部に挿入されている。
【００８７】
図示されるように、タンク部７２においては、チューブ１６ａは、外側タンク７３の内部と連通するように接続されている。チューブ４３ａは内側タンク７４の内部と連通するように接続されている。チューブ１６ａは、内側タンク７４の壁、すなわち第１の板状部材７２ａを貫通し、さらに内側タンク７４内を横切って延びた後に、外側タンク７３の内部に挿入されている。
【００８８】
図５に図示されるように、第１の部分７１ａ、すなわち凝縮部１６ｃの一部においては、空気ＡＲの方向に沿って水チューブ４３ａと冷媒チューブ１６ａとが並んで位置付けられている。図６は、図５の隣の行における断面を示している。ここでは、空気ＡＲの方向に沿って冷媒チューブ１６ａと冷媒チューブ１６ａとが並んで位置付けられている。よって、図５に図示された水チューブ４３ａと図６に図示された冷媒チューブ１６ａとは、上流列７１ｃにおいて、隣に位置付けられている。しかも、これらの冷媒チューブ１６ａと水チューブ４３ａとは、フィン５０を介して熱的に密接に結合されている。
【００８９】
図３に戻り、タンク部７２の横には、モジュレータ８０が固定されている。モジュレータ８０は、タンク部７２にろう付けによって一体的に接合されている。モジュレータ８０は、円筒状の容器８１と、容器８１とタンク部７２とを接続する接続部８２とを備える。凝縮部１６ｃとモジュレータ８０との間は、外側タンク７３と入口通路８３とを介して流体的に接続されている。モジュレータ８０と過冷却部１６ｄとの間は、出口通路８４と外側タンク７３とを介して流体的に接続されている。
【００９０】
入口通路８３は、出口通路８４より高い位置に設けられている。容器８１内における入口通路８３の入口開口は、容器８１内における出口通路８４の出口開口より高い位置に設けられている。よって、上入れ、下出しのモジュレータ８０が提供される。出口開口が入口開口より低い位置に設けられていることによって、主として液相冷媒が出口通路８４を通して過冷却部１６ｄに向けて送り出される。
【００９１】
図５から図７に図示されるように、接続部８２は、容器８１に一体的に形成されている。接続部８２は、容器８１の円筒外周面の一部角度範囲から突出して形成されている。接続部８２は、容器８１の軸方向長さの一部にのみ形成されている。接続部８２は、容器８１の下部に形成されている。よって、容器８１は、外側タンク７３と接続されない部分も有している。接続部８２は、外側タンク７３の外面に直接的に接触し、ろう付けされる接合面ＣＳ１を有する。図示されるように、接合面ＣＳ１は、第２の板状部材７２ｂの形状に沿った曲面を有している。
【００９２】
入口通路８３は、接続部８２に形成された貫通穴８３ａと、第２の板状部材７２ｂに形成された貫通穴８３ｂとによって形成される。出口通路８４は、接続部８２に形成された貫通穴８４ａと、第２の板状部材７２ｂに形成された貫通穴８４ｂとによって形成される。この構成によると、モジュレータ８０の貫通穴８３ａ、８４ａとタンク部７２の貫通穴８３ｂ、８４ｂとを直接的に連通させることによって、通路を提供することができる。この構造は、入口通路８３および出口通路８４の少なくともひとつを提供するために利用することができる。
【００９３】
図中には、仕切り７３ａ、７３ｂ、７３ｃが図示されている。入口通路８３のための貫通穴８３ａは、仕切り７３ａより上に開口している。出口通路８４のための貫通穴８４ａは、仕切り７３ａより下に開口している。よって、モジュレータ８０と通路８３、８４とは、タンク７３内の上室と下室とを連通する流路を提供している。
【００９４】
さらに、貫通穴８３ａは、第２の板状部材７２ｂ上のひとつの突条の上に開口している。貫通穴８３ｂは、第２の板状部材７２ｂの下流突条７２ｅの上に形成されている。一方、貫通穴８４ａは、第２の板状部材７２ｂ上の他の突条の上に開口している。貫通穴８４ｂは、第２の板状部材７２ｂの上流突条７２ｄの上に形成されている。仕切り７３ａより下に開口している。よって、モジュレータ８０と通路８３、８４とは、ひとつの突条内の部屋から、他の突条内の部屋へ冷媒を流す通路を提供している。言い換えると、モジュレータ８０と通路８３、８４とは、外側タンク７３の上流室ＵＰＣと下流室ＤＷＣとを連通する流路を提供している。この実施形態では、室外熱交換器１６とラジエータ４３とをユニット７０内に構成するために、タンク部７２は、上流室ＵＰＣと下流室ＤＷＣとを備える。このような構成においても、モジュレータ８０によって、上流室ＵＰＣと下流室ＤＷＣとの間を連通する冷媒のための通路８３、８４を提供することができる。
【００９５】
図８は、熱交換器７０内における冷媒ＲＦの流れの経路を示している。冷媒ＲＦは、冷媒入口７８ａから外側タンク７３に流入する。冷媒ＲＦは、凝縮部１６ｃを、上下にＵターンするように、複数の冷媒チューブ１６ａと内側タンク７７とを経由して流れる。外側タンク７３の仕切り７３ａと仕切り７３ｂとの間の室に戻った冷媒ＲＦは、入口通路８３を通してモジュレータ８０内に流入する。冷媒ＲＦは、モジュレータ８０から出口通路８４を通って外側タンク７３の仕切り７３ａと仕切り７３ｃとの間の室に流入する。この後、冷媒ＲＦは、過冷却部１６ｄを、上下にＵターンするように、複数の冷媒チューブ１６ａと内側タンク７７とを経由して流れる。外側タンク７３の仕切り７３ｂより下の室に戻った冷媒は、冷媒出口７８ｂから流出する。
【００９６】
冷却水ＷＴは、冷却水入口７９ａから外側タンク７６に流入する。冷却水ＷＴは、上下にＵターンするように、複数の水チューブ４３ａと内側タンク７４とを経由して流れる。
【００９７】
図９は、この実施形態における複数のタンクと、冷媒ＲＦおよび冷却水ＷＴとの対応関係を示している。図示されるように、この実施形態では、外側タンク７３によって冷媒ＲＦのためのタンクが提供されている。そして、外側タンク７３の横に沿うようにして、モジュレータ８０が配置されている。
【００９８】
この構造によると、冷媒ＲＦと空気ＡＲとを熱交換させる室外熱交換器１６と、冷却水ＷＴと空気ＡＲとを熱交換させるラジエータ４３とを、熱交換器７０内に混在させて配置することができる。しかも、熱交換器７０は、冷媒チューブ１６ａと水チューブ４３ａとの配置を高い自由度をもって設定できる。このため、室外熱交換器１６に要求される性能と、ラジエータ４３に要求される性能とを高い水準で満たすように冷媒チューブ１６ａと水チューブ４３ａとを配置することができる。さらに、この実施形態では、冷媒ＲＦと冷却水ＷＴと空気ＡＲとを熱交換させる熱交換器７０にモジュレータ８０を一体的に付設することができる。
【００９９】
コア部７１は、冷媒チューブ１６ａと水チューブ４３ａとが混在して配置された第１の部分７１ａと、冷媒チューブ１６ａだけが配置された第２の部分７１ｂとを含む。凝縮部１６ｃは、第１の部分７１ａによって提供され、過冷却部１６ｄは、第２の部分７１ｂによって提供されている。この構成によると、第１の部分７１ａでは、冷媒ＲＦと空気ＡＲとの熱交換と、冷却水ＷＴと空気ＡＲとの熱交換との両方が提供される。一方、第２の部分７１ｂでは、冷媒ＲＦと空気ＡＲとの熱交換だけが提供される。このため、過冷却部１６ｄに適した熱交換性能を実現することができる。また、過冷却部１６ｄにおいては、冷却水ＷＴから冷媒ＲＦへの影響を抑制することができる。
【０１００】
（第２実施形態）
以下の説明においては、先行する実施形態からの変更点、相違点を主として説明する。後続の実施形態は、先行する実施形態のいずれかを基礎的形態とする変形例である。上記実施形態に代えて、図１０に図示される接続構造を採用することができる。接続部８２は、容器８１の軸方向に沿って、容器８１のほぼ全長にわたる長さを有している。接続部８２は、容器８１のほぼ全長にわたる長い接合面ＣＳ２を提供する。この構成によると、モジュレータ８０とタンク部７２との接触面積を大きくすることができる。これにより、熱伝達性の向上、接合強度の向上、耐食性の向上といった追加的効果の少なくともひとつを得ることができる。
【０１０１】
（第３実施形態）
上記実施形態に代えて、図１１に図示される接続構造を採用することができる。接続部８２は、平面状の接合面ＣＳ３を提供する。さらに、タンク部７２、すなわち第２の板状部材７２ｂには、平面状の接合面ＲＳ３が形成されている。この構成によると、モジュレータ８０とタンク部７２との接続部８２を、平面接触によって提供することができる。この構成は、例えば、接合強度の向上の点で利点がある。
【０１０２】
（第４実施形態）
上記実施形態に代えて、図１２に図示される接続構造を採用することができる。容器８１には、平面状の接合面ＣＳ４を提供する接続部８２が一体的に形成されている。第２の板状部材７２ｂには、平面状の接合面ＲＳ４が形成されている。さらに、接続部８２と第２の板状部材７２ｂとの間には、接合板８２ａが配置されている。接合板８２ａには、入口通路８３を提供するための貫通穴８３ｃと、出口通路８４を提供するための貫通穴８４ｃとが形成されている。接合板８２ａは、貫通穴８３ｃ、８４ｃによって通路を提供する配管でもある。接合板８２ａは、モジュレータ８０内とタンク部７２内とを連通する通路８３、８４を提供する部材である。接合板８２ａの片面は、接合面ＣＳ４に接合される。接合板８２ａの他の片面は、接合面ＲＳ４に接合される。この構成によると、モジュレータ８０とタンク部７２との間に望ましい距離が設けられる。また、この構成は、入口通路８３および出口通路８４の少なくともひとつを提供するために利用することができる。
【０１０３】
（第５実施形態）
上記実施形態では、入口通路８３と出口通路８４とを第２の板状部材７２ｂの上流突条７２ｄと下流突条７２ｅとに分散して配置した。これに代えて、図１３、図１４に図示されるように、入口通路８３と出口通路８４とを第２の板状部材７２ｂの同じ突条の上に配置してもよい。図示の例においては、入口通路８３と出口通路８４とが、上流突条７２ｄに配置されている。なお、入口通路８３と出口通路８４とは、下流突条７２ｅに配置されてもよい。
【０１０４】
（第６実施形態）
上記実施形態に代えて、図１５に図示される接続構造を採用することができる。接続部８２は、上流突条７２ｄの形状に対応する曲面状の接合面ＣＳ６だけを提供する。この構成では、容器８１とタンク部７２とは、上流突条７２ｄの上においてのみ接合される。
【０１０５】
（第７実施形態）
上記実施形態に代えて、図１６に図示される接続構造を採用することができる。接続部８２は、容器８１の軸方向の一部にだけ形成されている。接続部８２は、平面状の接合面ＣＳ７を提供する。上流突条７２ｄには、接合面ＣＳ７に対応する平面状の接合面ＲＳ７が形成されている。この構成では、容器８１とタンク部７２とは、上流突条７２ｄの上においてのみ接合される。なお、下流突条７２ｅにも、接合面ＲＳ７に相当する平面部分を形成してもよい。
【０１０６】
（第８実施形態）
上記実施形態では、冷媒チューブ１６ａと水チューブ４３ａとは、図３および図４に図示されるように、凝縮部１６ｃの上流列７１ｃにおいてのみ混在するように位置付けられている。これに代えて、この実施形態では、冷媒チューブ１６ａと水チューブ４３ａとは、凝縮部１６ｃの上流列７１ｃと下流列７１ｄとの両方において混在するように位置付けられる。図１７および図１８は、凝縮部１６ｃにおける冷媒チューブ１６ａと水チューブ４３ａとの配置を示している。過冷却部１６ｄには、冷媒チューブ１６ａだけが配置されている。
【０１０７】
図１７は図３に対応する斜視図である。図示されるように、空気ＡＲの流れ方向に沿って、２本の冷媒チューブ１６ａが並べて配置されている。空気ＡＲの流れ方向に沿って、２本の水チューブ４３ａが並べて配置されている。さらに、冷媒チューブ１６ａと水チューブ４３ａとは、複数のチューブ１６ａ、４３ａの列の方向、すなわち複数のチューブ１６ａ、４３ａの積層方向に沿って、交互に配置されている。言い換えると、上流列７１ｃと下流列７１ｄとのそれぞれにおいて、冷媒チューブ１６ａと水チューブ４３ａとは、交互に並べられている。
【０１０８】
図１８は図４に対応する部分断面図である。図示されるように、上流列７１ｃと下流列７１ｄとの両方において、冷媒チューブ１６ａと水チューブ４３ａとが隣接して配置された部分が設けられている。
【０１０９】
図１９および図２０は、図５および図６に対応する部分断面図である。図１９に図示されるように、凝縮部１６ｃの所定の行においては、冷媒チューブ４３ａだけが配置されている。図１９の隣の行においては、図２０に図示されるように、冷媒チューブ１６ａだけが配置されている。
【０１１０】
（第９実施形態）
上記実施形態では、過冷却部１６ｄにおいては、外側タンク７３と内側タンク７７と複数の冷媒チューブ１６ａとによって、上下にＵターンする流路を形成した。これに代えて、この実施形態では、過冷却部１６ｄにおいて、一方通行の流路を形成する。
【０１１１】
図２１は、図３に対応する簡単化された斜視図である。この実施形態では、外側タンク７３内の仕切り７３ａより下の室と、内側タンク７７内の仕切り７７ａより下の室とに接続される複数の冷媒チューブ１６ａによって過冷却部１６ｄが形成されている。冷媒入口７８ａは、外側タンク７３に設けられている。冷媒出口７８ｂは、内側タンク７７に設けられている。
【０１１２】
図２２は、この実施形態における冷媒ＲＦの流れを示している。冷媒ＲＦは、凝縮部１６ｃにおいて、上から下へＵターンする経路を流れ、モジュレータ８０に流入する。モジュレータ８０から出た冷媒ＲＦは、過冷却部１６ｄを一方向に流れて冷媒出口７８ｂから流出する。
【０１１３】
（第１０実施形態）
上記実施形態では、複数の冷媒チューブ１６ａは、上部群と下部群とに分割されていた。このため、熱交換器７０内には、上下にＵターンする冷媒ＲＦのための経路が形成された。これに代えて、この実施形態では、複数の冷媒チューブ１６ａが、空気ＡＲの流れ方向に関して、上流群と下流群とに分割される。このため、熱交換器７０内には、前後にＵターンする冷媒ＲＦのための経路が形成される。
【０１１４】
図２３に図示されるように、外側タンク７３は、仕切り７３ａによって上下に分割されている。さらに、外側タンク７３は、仕切り７３ｄ、７３ｅによって、上流側と下流側とに分割されている。言い換えると、外側タンク７３は、仕切り７３ｄ、７３ｅによって、前後に分割されている。冷媒入口７８ａは、外側タンク７３の下流突条７２ｅに設けられている。下流突条７２ｅは、下流室ＤＷＣを区画している。この実施形態では、外側タンク７３の下流室ＤＷＣが、最初のタンクとされる。
【０１１５】
複数の冷媒チューブ１６ａは、凝縮部１６ｃに位置する第１群と、過冷却部１６ｄに位置する第２群とに分割されている。また、第１群の冷媒チューブ１６ａは、凝縮部１６ｃの上流列７１ｃに位置する上流群と、凝縮部１６ｃの下流列７１ｄに位置する下流群とに分割されている。また、第２群の冷媒チューブ１６ａは、過冷却部１６ｄの上流列７１ｃに位置する上流群と、過冷却部１６ｄの下流列７１ｄに位置する下流群とに分割されている。したがって、複数の冷媒チューブ１６ａは、凝縮部１６ｃおよび過冷却部１６ｄの両方において、上流列７１ｃに属する前部群と、下流列７１ｄに属する下流群とに分割されている。複数の水チューブ４３ａは、上部に位置する上部群と、下部に位置する下部群とに分割されている。
【０１１６】
図２４および図２５は、図５および図６に対応する部分断面図である。図示されるように、第２の板状部材７２ｂは、上流突条７２ｄと下流突条７２ｅとの間の谷部において、中間板状部材７２ｃに接触し、接合されている。この接合部分は、上流室ＵＰＣと下流室ＤＷＣとを流体的に完全に仕切っている。この接合部分によって、仕切り７３ｄ、７３ｅが提供される。上流室ＵＰＣと下流室ＤＷＣとは、仕切り７３ａによって、上下に分割されている。よって、上流室ＵＰＣは、仕切り７３ａより上の上部上流室ＵＵＣと、仕切り７３ａより下の下部上流室ＤＵＣとに分割されている。下流室ＤＷＣは、仕切り７３ａより上の上部下流室ＵＤＣと、仕切り７３ａより下の下部下流室ＤDＣとに分割されている。
【０１１７】
図２６に図示されるように、冷媒ＲＦは、冷媒入口７８ａから、上部下流室ＵＤＣに流入する。冷媒ＲＦは、上部下流室ＵＤＣから、下流列７１ｄに属する下流群の冷媒チューブ１６ａを通って、内側タンク７７の上部室に流入する。冷媒ＲＦは、内側タンク７７の上部室から、上流列７１ｃに属する上流群の冷媒チューブ１６ａを流れることによって、外側タンク７３の上部上流室ＵＵＣに流入する。これにより、凝縮部１６ｃにおいては、冷媒ＲＦは、前後にＵターンする経路を流れる。特に、凝縮部１６ｃにおいては、冷媒ＲＦは、下流列７１ｄを流れた後に、上流列７１ｃを流れる。
【０１１８】
上部上流室ＵＵＣの冷媒は、入口通路８３を通ってモジュレータ８０に流入する。冷媒ＲＦは、モジュレータ８０から、出口通路８４を通って、外側タンク７３の下部下流室ＤＤＣに流入する。
【０１１９】
冷媒ＲＦは、下部下流室DＤＣから、下流列７１ｄに属する下流群の冷媒チューブ１６ａを通って、内側タンク７７の下部室に流入する。冷媒ＲＦは、内側タンク７７の下部室から、上流列７１ｃに属する上流群の冷媒チューブ１６ａを流れることによって、外側タンク７３の下部上流室ＤＵＣに流入する。冷媒ＲＦは、下部上流室ＤＵＣから冷媒出口７８ｂへ流出する。これにより、過冷却部１６ｄにおいては、冷媒ＲＦは、前後にＵターンする経路を流れる。特に、過冷却部１６ｄにおいては、冷媒ＲＦは、下流列７１ｄを流れた後に、上流列７１ｃを流れる。
【０１２０】
この構成によると、凝縮部１６ｃにおいては、空気ＡＲの流れに対して対向流となる冷媒ＲＦの経路を形成することができる。これにより、凝縮部１６ｃにおいて、効率的な熱交換を提供することができる。
【０１２１】
この構成によると、過冷却部１６ｄにおいては、空気ＡＲの流れに対して対向流となる冷媒ＲＦの経路を形成することができる。これにより、過冷却部１６ｄにおいて、効率的な熱交換を提供することができる。しかも、凝縮部１６ｃと過冷却部１６ｄとの両方において効率的な熱交換を提供できるから、室外熱交換器１６全体として高い性能を提供することができる。
【０１２２】
（第１１実施形態）
上記実施形態では、凝縮部１６ｃと過冷却部１６ｄとの両方において、前後にＵターンする冷媒ＲＦのための経路を提供した。これに代えて、凝縮部１６ｃおよび過冷却部１６ｄのいずれか一方において、一方通行の経路を提供してもよい。例えば、凝縮部１６ｃにおいて、上下、または前後にＵターンする経路を提供し、過冷却部１６ｄにおいて、一方通行の経路を提供してもよい。これに代えて、凝縮部１６ｃにおいて、一方通行の経路を提供し、過冷却部１６ｄにおいて、上下、または前後にＵターンする経路を提供してもよい。
【０１２３】
図２７は、前者の例を示している。仕切り７３ａの下には、ひとつの室が形成されている。冷媒出口７８ｂは、内側タンク７７の下部室に設けられている。この実施形態では、凝縮部１６ｃにおいて、前後にＵターンする冷媒ＲＦのための経路が提供されている。過冷却部１６ｄにおいて、一方通行の冷媒ＲＦのための経路が提供されている。冷媒ＲＦは、図２８に図示されるように流れる。
【０１２４】
（第１２実施形態）
上記実施形態では、凝縮部１６ｃと過冷却部１６ｄとの両方において、上流列７１ｃに属する複数の冷媒チューブ１６ａと、下流列７１ｄに属する複数の冷媒チューブ１６ａとを利用した。すなわち、上流列７１ｃに属する複数の冷媒チューブ１６ａの一部と、下流列７１ｄに属する複数の冷媒チューブ１６ａの一部とによって凝縮部１６ｃを構成した。そして、上流列７１ｃに属する複数の冷媒チューブ１６ａの残部と、下流列７１ｄに属する複数の冷媒チューブ１６ａの残部とによって過冷却部１６ｄを構成した。
【０１２５】
これに代えて、上流列７１ｃに属する複数の冷媒チューブ１６ａ、または下流列７１ｄに属する複数の冷媒チューブ１６ａだけによって、凝縮部１６ｃおよび過冷却部１６ｄのいずれか一方を構成してもよい。例えば、上流列７１ｃに属する複数の冷媒チューブ１６ａだけによって、凝縮部１６ｃを構成してもよい。代わりに、下流列７１ｄに属する複数の冷媒チューブ１６ａだけによって、凝縮部１６ｃを構成してもよい。また、上流列７１ｃに属する複数の冷媒チューブ１６ａだけによって、過冷却部１６ｄを構成してもよい。代わりに、下流列７１ｄに属する複数の冷媒チューブ１６ａだけによって、過冷却部１６ｄを構成してもよい。
【０１２６】
図２９は、上流列７１ｃに属する複数の冷媒チューブ１６ａだけによって、過冷却部１６ｄを構成した実施形態を示している。この実施形態では、仕切り７３ａは、上流突条７２ｄ内にだけ設けられている。この結果、外側タンク７３は、下流室ＤＷＣと、上部上流室ＵＵＣと、下部上流室ＤＵＣとを提供する。内側タンク７７内には、上流側の下部に、下部上流室ＤＵＣと対をなす下部室を形成するように仕切り７７ａと仕切り７７ｂとが形成される。
【０１２７】
図３０に図示されるように、冷媒ＲＦは、冷媒入口７８ａから、下流室ＤＷＣに流入する。冷媒ＲＦは、下流室ＤＷＣから、下流列７１ｄに属するすべての冷媒チューブ１６ａを通って、内側タンク７７に流入する。冷媒ＲＦは、内側タンク７７から、上流列７１ｃに属する一部の冷媒チューブ１６ａを流れることによって、外側タンク７３の上部上流室ＵＵＣに流入する。上部上流室ＵＵＣの冷媒は、入口通路８３を通ってモジュレータ８０に流入する。冷媒ＲＦは、モジュレータ８０から、出口通路８４を通って、外側タンク７３の下部上流室ＤＵＣに流入する。冷媒ＲＦは、下部上流室ＤＵＣから、上流列７１ｃに属する残部の冷媒チューブ１６ａを通って、内側タンク７７の下部室に流入する。冷媒ＲＦは、内側タンク７７の下部室から、冷媒出口７８ｂへ流出する。
【０１２８】
この実施形態によると、下流列７１ｄに属するすべての冷媒チューブ１６ａが凝縮部１６ｃとして利用される。さらに、下流列７１ｃに属する複数の冷媒チューブ１６ａが、凝縮部１６ｃと過冷却部１６ｄとに分割される。このため、過冷却部１６ｄは、上流列７１ｃに属する複数の冷媒チューブ１６ａだけで提供される。
【０１２９】
（第１３実施形態）
上記実施形態に代えて、過冷却部１６ｄを、下流列７１ｄにのみ配置してもよい。図３１は、過冷却部１６ｄを下流列７１ｄにのみ配置した実施形態を示している。この構成では、凝縮部１６ｃの最後の集合タンク１６ｅが上流側に配置されている。過冷却部１６ｄの最初の分配タンク１６ｆが下流側に配置されている。集合タンク１６ｅと、分配タンク１６ｆとは、空気ＡＲの流れ方向に沿って並んで位置している。言い換えると、集合タンク１６ｅと、分配タンク１６ｆとは、列方向ＲＤに関して同じ位置、すなわち同じ高さに重複して位置付けられている。
【０１３０】
この構成では、集合タンク１６ｅは、空気ＡＲの流れ方向に関して、分配タンク１６ｆより上流側に位置付けられている。モジュレータ８０は、集合タンク１６ｅから冷媒ＲＦを受け入れ、集合タンク１６ｅより下流側に位置する分配タンク１６ｆに冷媒ＲＦを供給する。この構成によると、空気の流れ方向に沿って集合タンク１６ｅと分配タンク１６ｆとが配置される。モジュレータ８０は、集合タンク１６ｅから分配タンク１６ｆへ冷媒を流すことができる。このようなモジュレータ８０は、集合タンク１６ｅが、空気ＡＲの流れ方向に関して、分配タンク１６ｆより上流側、または下流側に位置付けられた構成に適用することができる。
【０１３１】
（第１４実施形態）
上記実施形態では、下流列７１ｄに冷媒チューブ１６ａのみを配列し、上流列７１ｃに冷媒チューブ１６ａと水チューブ４３ａとを配列した。これに代えて、下流列７１ｄに冷媒チューブ１６ａと水チューブ４３ａとを配列し、上流列７１ｃに冷媒チューブ１６ａのみを配列してもよい。図３２は、そのような実施形態を示している。図３３は、図４に対応する部分断面図である。この構成では、上流列７１ｃにおいて空気ＡＲと冷媒ＲＦとの二者の熱交換部が提供されている。下流列７１ｄにおいては、空気ＡＲと冷媒ＲＦと冷却水ＷＴとの三者の熱交換部が提供される。
【０１３２】
（第１５実施形態）
上記実施形態では、コア部７１の第１の部分７１ａに、冷媒チューブ１６ａと水チューブ４３ａとの両方を配置した。また、第２の部分７１ｂには、冷媒チューブ１６ａだけを配置した。さらに、第２の部分７１ｂを過冷却部１６ｄとして利用した。この構成によると、過冷却部１６ｄにおいて、冷媒チューブ１６ａと水チューブ４３ａとの熱交換が抑制される。
【０１３３】
これに代えて、過冷却部１６ｄとして利用される第２の部分７１ｂに、冷媒チューブ１６ａと水チューブ４３ａとの両方を配置してもよい。また、第１の部分７１ａと第２の部分７１ｂとの両方に、冷媒チューブ１６ａと水チューブ４３ａとの両方を配置してもよい。
【０１３４】
図３４は、コア部７１の全体に冷媒チューブ１６ａと水チューブ４３ａとの両方を配置した実施形態を示す。冷媒ＲＦのためのタンクの構造、すなわち、外側タンク７３および内側タンク７７の構造は、先行する実施形態のひとつと同じである。冷却水入口７９ａは内側タンク７４の下部に設けられている。すべての水チューブ４３ａの一端は、内側タンク７４に連通するように接続されている。すべての水チューブ４３ａの他端は、外側タンク７６に連通するように接続されている。冷却水出口７９ｂは、外側タンク７６の上部に設けられている。
【０１３５】
この構成によると、冷却水ＷＴは、冷却水入口７９ａから内側タンク７４内に流入する。冷却水ＷＴは、内側タンク７４からすべての水チューブ４３ａに分配される。水チューブ４３ａは、コア部７１の全体に分散して配置されている。よって、冷却水ＷＴは、コア部７１の全体において空気ＡＲと熱交換する。冷却水ＷＴは、複数の水チューブ４３ａから外側タンク７６に流入する、冷却水ＷＴは、外側タンク７６から冷却水出口７９ｂを経由して流出する。この構成によると、コア部７１の全体が、空気ＡＲ、冷媒ＲＦ、および冷却水ＷＴの三者のために利用される。
【０１３６】
この構成においては、冷媒チューブ１６ａと水チューブ４３ａとは、凝縮部１６ｃと過冷却部１６ｄとの両方において混在して配置されている。よって、コア部７１の全体において冷媒ＲＦと空気ＡＲとの熱交換と、冷却水ＷＴと空気ＡＲとの熱交換との両方が提供される。このため、冷媒チューブ１６ａと水チューブ４３ａとを熱交換器７０の全体に分散して配置することができる。
【０１３７】
（第１６実施形態）
上記実施形態では、多列のチューブ１６ａ、４３ａを採用した。これに代えて、この実施形態では、図３５に図示されるように、複数のチューブ１６ａ、４３ａを単列７１ｃに配列している。
【０１３８】
第１の部分７１ａには、冷媒チューブ１６ａと水チューブ４３ａとフィン５０とが配置される。第１の部分７１ａにおいては、少なくとも一部において、冷媒チューブ１６ａと水チューブ４３ａとが隣接して配置されている。第１の部分７１ａにおいては、少なくとも一部において、冷媒チューブ１６ａおよび水チューブ４３ａの一方が他方の間に配置されている。第１の部分７１ａにおいては、少なくとも一部において、冷媒チューブ１６ａと水チューブ４３ａとが交互に配置されている。第１の部分７１ａは、空気ＡＲと冷媒ＲＦと冷却水ＷＴとの三者のための熱交換部分である。第１の部分７１ａは、凝縮部１６ｃを提供する。第２の部分７１ｂには、冷媒チューブ１６ａとフィン５０とが配置されている。第２の部分７１ｂは、過冷却部１６ｄを提供する。
【０１３９】
この構成においても、コア部７１の両端には、タンク部７２、７５が配置されている。しかも、タンク部７２は、コア部７１の端部の全体にわたって広がる外側タンク７３と内側タンク７４とを有する。また、タンク部７５は、コア部７１の端部の全体にわたって広がる外側タンク７６と内側タンク７７とを有する。外側タンク７３は、上室ＵＣ、中室ＭＣ、および下室ＤＣを提供している。上室ＵＣは、凝縮部１６ｃの最初の分配タンクである。中室ＭＣは、凝縮部１６ｃの最後の集合タンク１６ｅである。下室ＤＣは、過冷却部１６ｄの最初の分配タンク１６ｆである。モジュレータ８０は、凝縮部１６ｃの最後の集合タンク１６ｅと、過冷却部１６ｄの最初の分配タンク１６ｆの両方を提供する外側タンク７３に隣接して配置されている。
【０１４０】
（第１７実施形態）
図３６は、この実施形態における複数のタンクと、冷媒ＲＦおよび冷却水ＷＴとの対応関係を示している。この実施形態では、外側タンク７３内に仕切り７３ｆが設けられている。仕切り７３ｆは、外側タンク７３内に、冷却水ＷＴのための室を形成する。仕切り７３ｆは、外側タンク７３の一方の突条内の室を仕切るように配置することができる。仕切り７３ｆは、例えば、突条内の室を、上下方向に仕切る。仕切り７３ｆは、外側タンク７３内を、空気ＡＲの流れ方向に関して、上流側と下流側とに仕切るように配置することができる。また、仕切り７３ｆは、外側タンク７３内を、コア部７１側に位置する内側と、コア部７１から離れて位置する外側とに仕切るように配置することができる。この構成によると、モジュレータ８０に隣接して配置された外側タンク７３内には仕切り７３ｆが配置されている。外側タンク７３は、冷媒ＲＦの流路と、冷媒ＲＦ以外の流体である冷却水ＷＴの流路とを提供することができる。
【０１４１】
この構成では、外側タンク７３の下流室ＤＷＣによって、凝縮部１６ｃの最後の集合タンク１６ｅが提供されている。最後の集合タンク１６ｅは、外側タンク７３内の分割された部分である。外側タンク７３の上流室ＵＰＣは、過冷却部１６ｄの最初の分配タンク１６ｆを提供している。モジュレータ８０は、下流室ＤＷＣと上流室ＵＰＣとを接続する流路を提供している。よって、モジュレータ８０は、空気ＡＲの流れの方向に関して上流側と下流側とに配置された２つのタンク部分を連通することによって、凝縮部１６ｃから過冷却部１６ｄへ冷媒を流す流路を提供する。
【０１４２】
図３７は、この実施形態の具体的な構成を示す。板状部材７２ａ、７２ｂ、７２ｃを積層することによって、それらの間に、外側タンク７３と内側タンク７４とが形成されている。板状部材７２ｂは、断面がＷ字状に形成され、中央の峰部が板状部材７２ｃに接合されている。この結果、外側タンク７３内は、上流室と下流室とに分割されている。さらに、外側タンク７３内には、板によって仕切り７３ｆが形成されている。
【０１４３】
（第１８実施形態）
複数のタンクと、冷媒ＲＦおよび冷却水ＷＴとの対応関係は、図３８のように設定されてもよい。この実施形態では、モジュレータ８０に隣接する外側タンク７３は、冷媒ＲＦのためのタンクをひとつだけ提供する。よって、外側タンク７３は、冷媒タンクＲＦＴと媒体タンクＷＴＴとの両方を提供する。モジュレータ８０は、外側タンク７３に隣接して配置されている。モジュレータ８０は、外側タンク７３の外壁を提供する部材に接合されている。モジュレータ８０は、冷媒タンクＲＦＴと媒体タンクＷＴＴとの両方に接触している。
【０１４４】
この冷媒ＲＦのためのタンクは、モジュレータ８０と連通するように直接的に接続される。例えば、図示されるように、出口通路８４を形成するように接続される。さらに、モジュレータ８０は、モジュレータ８０から離れたタンクと配管などを通して間接的に接続される。例えば、図示されるように、モジュレータ８０と、内側タンク７４とは、配管８２ｂによって接続される。配管８２ｂは、入口通路８３を提供することができる。
【０１４５】
この実施形態によると、熱交換器７０の一方のタンク部７２に隣接してモジュレータ８０を配置することができる。このモジュレータ８０は、ひとつのタンク７３と直接的に接続することができる。また、モジュレータ８０は、他のひとつのタンク７４と配管８２ｂを介して間接的に接続することができる。
【０１４６】
（第１９実施形態）
複数のタンクと、冷媒ＲＦおよび冷却水ＷＴとの対応関係は、図３９のように設定されてもよい。この実施形態では、モジュレータ８０に隣接する外側タンク７３は、冷媒ＲＦのためのタンクを備えない。モジュレータ８０に隣接する外側タンク７３は、冷却水ＷＴのためのタンクだけを提供する。この構成においては、モジュレータ８０は、冷媒ＲＦのためのタンクと、配管８２ｂ、８２ｃを通して接続される。例えば、配管８２ｂは、入口通路８３を提供する。配管８２ｃは、出口通路８４を提供する。
【０１４７】
図４０、図４１、図４２は、この実施形態の具体的な構成を示す。図４０は、タンク部７２とモジュレータ８０との接続部の斜視図である。図４１は、配管８２ｂにおける断面図である。図４２は、配管８２ｃにおける断面図である。配管８２ｂは、内側タンク７４の側面にジョイントブロックを介して接続されている。配管８２ｃは、モジュレータ８０の下端部と、タンク部７２の下端部とを連結するように形成されている。配管８２ｃは、タンク部７２の底面を提供するとともに、モジュレータ８０の底面と提供する板状部材によって形成されている。
【０１４８】
（第２０実施形態）
上記実施形態では、モジュレータ８０と、モジュレータ８０に隣接する外側タンク７３とが連通するように、モジュレータ８０とタンク部７２とを接続した。これに代えて、図４３に図示されるように、モジュレータ８０と、モジュレータ８０に隣接しないタンク、すなわち内側タンク７４とが連通するように、モジュレータ８０とタンク部７２とを接続してもよい。この実施形態では、外側タンク７３を貫通して延びる配管８２ｄが設けられている。配管８２ｄは、容器８１内に連通する通路を提供する。例えば、配管８２ｄは、入口通路８３を提供する。
【０１４９】
図３８−４３に図示された実施形態において、コア部７１の一方に配置されたタンク部７２は、外側に位置する外側タンク７３と、外側タンク７３とコア部７１との間に位置する内側タンク７４とを有する。内側タンク７４は、集合タンク１６ｅ、または分配タンク１６ｆを提供している。入口通路８３および出口通路８４の少なくともひとつは、モジュレータ８０内と内側タンク７４内とを連通する通路を提供する部材８２ｂ、８２ｃ、８２ｄによって提供されている。部材８２ｂ、８２ｃは、外側タンク７３の外側を迂回している。部材８２ｄは外側タンク７３を貫通している。この構成によると、内側タンク７４に集合タンク１６ｅまたは分配タンク１６ｆを配置することができる。
【０１５０】
（第２１実施形態）
上記実施形態では、タンク部７２、７５に沿って、モジュレータ８０を設置した。上記実施形態では、出口通路８４をモジュレータ８０の下部に設け、入口通路８３は出口通路８４より上に配置した。これらに代えて、この実施形態では、図４４に図示されるようにコア部７１の横に、タンク部７２、７５を介することなく、モジュレータ８０を配置する。
【０１５１】
熱交換器７０は、その使用状態において、重力方向の上下にタンク部７２、７５が位置するように構成されている。よって、コア部７１の左右方向にはタンク部７２、７５がない。タンク部７２、７５、およびコア部７１の構成には、先行する実施形態のいずれかの構成を採用することができる。下に配置されたタンク部７２は、凝縮部１６ｃの最後の集合タンク１６ｅと、過冷却部１６ｄの最初の分配タンク１６ｆとを提供している。外側タンク７３は、凝縮部１６ｃの最後の集合タンク１６ｅと、過冷却部１６ｄの最初の分配タンク１６ｆとを提供している。
【０１５２】
モジュレータ８０は、熱交換器７０の横に配置される。モジュレータ８０は、コア部７１の横に配置されている。モジュレータ８０は、コア部７１の左右方向の一方に配置されている。モジュレータ８０は、筒状の容器８１を有する。モジュレータ８０は、容器８１の長手方向、すなわち円筒の軸方向を、重力方向とほぼ一致させるように配置される。容器８１は、液冷媒が溜まる液溜め部を提供する。容器８１の底面は、外側タンク７３より上に位置している。容器８１内の液が溜まる領域は、外側タンク７３より上に位置付けられている。言い換えると、容器８１内の液が溜まる領域は、過冷却部１６ｄの最初の分配タンク１６ｆより上に位置付けられている。
【０１５３】
モジュレータ８０とタンクとは、配管８２ｂ、８２ｃによって接続されている。配管８２ｂは、容器８１の底から、容器８１内に挿入されている。配管８２ｂは、容器８１の上部に向けて延びている。配管８２ｂの端部開口は、容器８１内の上部において開口している。配管８２ｂは、入口通路８３を提供する。よって、入口通路８３は、容器８１内の上部に開口する。配管８２ｃは、出口通路８４を提供する。配管８２ｃは、容器８１の底部に接続されている。配管８２ｃの端部開口は、容器８１の下部において開口している。よって、出口通路８４は、容器８１内の下部に開口する。配管８２ｃの端部開口は、容器８１の底面に開口している。さらに、配管８２ｃは、容器８１の底からさらに下に延びた後にタンク部７２に接続されている。したがって、この実施形態では、配管８２ｂ、８２ｃは、容器８１の下部において容器８１とタンクとを接続している。しかし、配管８２ｂが容器８１内の上部において開口することによって、所要の気液分離性能が与えられる。
【０１５４】
この実施形態においても、室外熱交換器１６とラジエータ４３とを一体的に提供する熱交換器７０にモジュレータ８０を付設することができる。しかも、配管８２ｃによって液冷媒を容器８１から抽出し、分配タンク１６ｆに供給することができる。
【０１５５】
（第２２実施形態）
上記実施形態では、配管８２ｂ、８２ｃによって熱交換器７０とモジュレータ８０とを接続した。これに代えて、熱交換器７０のタンク７２、７５に直接的にモジュレータ８０を接続してもよい。図４５の例においては、タンク部７２の長手方向の端面上にモジュレータ８０を配置している。モジュレータ８０は、容器８１をタンク部７２の端面に接触させて配置される。容器８１内には、入口通路８３を提供する管が配置されている。管は、容器８１内を高さ方向に延びている。管は、入口通路８３の一端を容器８１の上部において開口させる。出口通路８４は、容器８１の下部に開口している。
【０１５６】
（第２３実施形態）
上記実施形態では、コア部７１の長さと、タンク部７２、７５の長さとは、ほぼ同じに構成されていた。これに代えて、図４６に図示されるように、タンク部７２、７５をコア部７１から突出するように形成し、モジュレータ８０との接続部を提供してもよい。図示されるように、タンク部７２、７５は、コア部７１から横方向に突出している。タンク部７２、７５は、その内部に冷媒のためのタンクを形成している。図示の例においては、モジュレータ８０は、タンク部７２とタンク部７５との間に配置されている。容器８１は、タンク部７２上に立てるようにして配置されている。容器８１の底面は、タンク部７２内の冷媒ＲＦのためのタンクと接続されている。タンク部７２と容器８１とは、入口通路８３と出口通路８４とを提供するように接続されている。
【０１５７】
（第２４実施形態）
上記実施形態では、コア部７１の一方に配置されたタンク部７２とモジュレータ８０とを接続した。これに代えて、２つのタンク部７２、７５の間にモジュレータ８０を配置し、それら両方のタンク部７２、７５に連通するように入口通路８３および出口通路８４を形成してもよい。図４７は両方のタンク部７２、７５に連通するモジュレータ８０を示している。タンク部７５は、凝縮部１６ｃの最後の集合タンク１６ｅを備える。タンク部７２は、過冷却部１６ｄの最初の分配タンク１６ｆを備える。容器８１は、タンク部７２上に配置されている。タンク部７５と容器８１との間には、配管８２ｂが設けられ、凝縮部１６ｃの最後の集合タンク１６ｅと容器８１内とを連通する。配管８２ｂは、容器８１内に挿入されている。配管８２ｂの先端部分は、冷媒ＲＦの噴出による泡立ちを抑制するために、容器８１内において横方向に曲げられている。配管８２ｂが提供する入口通路８３は、容器８１内の上部において開口している。容器８１の底面には、出口通路８４が開口している。出口通路８４は、タンク部７２に設けられた過冷却部１６ｄの最初の分配タンク１６ｆに連通している。
【０１５８】
（第２５実施形態）
上記実施形態では、両方のタンク部７２、７５が、コア部７１から突出している。これに代えて、図４８に図示されるように、タンク部７２、７５の一方だけをコア部７１から突出するように形成してもよい。図示の例では、下側に位置するタンク部７２のみをコア部７１から突出させている。モジュレータ８０は、タンク部７２の突出部分の上に配置され、上へ向けて延び出している。図示の例に代えて、上側のタンク部７５のみをコア部７１から突出させてもよい。この場合、モジュレータ８０は、タンク部７５の突出部分の下に配置することができる。この場合、モジュレータ８０は、タンク部７５から吊り下げられるように配置することができる。
【０１５９】
図４４−図４８に図示された実施形態において、タンク部７２、７５は重力方向の上下に配置された上のタンク部７５と下のタンク部７２とを含む。モジュレータ８０は、上のタンク部７５と下のタンク部７２との間に挟まれて、または隣接して配置された容器８１を備える。この構成によると、タンク部７２、７５が上下に配置された熱交換器７０を提供できる。
【０１６０】
図４４、４６−４８に図示された実施形態において、下のタンク部７２は、過冷却部１６ｄの最初の分配タンク１６ｆを提供している。容器８１は、下のタンク部７２より上に位置付けられている。出口通路８４は、容器８１の底と分配タンク１６ｆとを連通する。この構成によると、確実に液冷媒を分配タンク１６ｆに供給できる。
【０１６１】
図４６−４８に図示された実施形態において、上のタンク部７５および／または下のタンク部７２は、コア部７１より突出した突出部分を有する。モジュレータ８０は突出部分に接続されている。この構成によると、モジュレータ８０の熱交換器７０からの突出量を抑制できる。
【０１６２】
（第２６実施形態）
上記実施形態では、モジュレータ８０の接続部８２は、外側タンク部７３の外壁に広く接触する。これに代えて、図４９および図５０に図示される形状を採用することができる。モジュレータ８０は、外側タンク７３に隣接して配置されている。モジュレータ８０の接続部８２は、外側タンク７３に接合されている。この結果、モジュレータ８０は、外側タンク７３の外壁上に機械的に支持されている。
【０１６３】
外側タンク７３は、冷媒ＲＦのための冷媒タンクＲＦＴと、媒体である冷却水ＷＴのための媒体タンクＷＴＴとを提供している。冷媒タンクＲＦＴと媒体タンクＷＴＴとの間は、仕切７０ａによって区画されている。仕切７０ａは、板状部材７２ｂと板状部材７２ｃとを接合することによって提供されている。仕切７０ａは、タンク部７２、７５の圧力に対する強度、および剛性を向上するためにも貢献する。
【０１６４】
接続部８２は、冷媒タンクＲＦＴと接続された冷媒側接続部８２ｅと、媒体タンクＷＴＴと接続された媒体側接続部８２ｆとを有する。モジュレータ８０は、冷媒タンクＲＦＴと媒体タンクＷＴＴとの両方に接触し、支持される。この結果、モジュレータ８０は強固に支持される。
【０１６５】
冷媒タンクＲＦＴと冷媒側接続部８２ｅとの接触面積は、媒体タンクＷＴＴと媒体側接続部８２ｆとの接触面積より大きい。この結果、モジュレータ８０と冷媒タンクＲＦＴとの間における熱伝達を規定する冷媒側接続部８２ｅの断面積は、モジュレータ８０と媒体タンクＷＴＴとの間における熱伝達を規定する媒体側接続部８２ｆの断面積より大きい。この結果、媒体タンクＷＴＴ内の媒体ＷＴからモジュレータ８０内の冷媒ＲＦへの熱的な影響が抑制される。
【０１６６】
（第２７実施形態）
上記実施形態では、板状部材７２ｂと板状部材７２ｃとを接合することによって仕切７０ａを提供した。これに代えて、図５１に図示されるように、仕切を提供するための部材７０ｂを用いてもよい。部材７０ｂは、板状部材７２ｂと板状部材７２ｃとの間に配置され、これらに接合されている。
【０１６７】
（第２８実施形態）
上記実施形態に代えて、図５２に図示されるように、板状部材７２ｃを貫通して配置された部材７０ｃを用いてもよい。部材７０ｃは、板状部材７２ａ、７２ｂ、７２ｃに接合されている。部材７０ｃは、外側タンク７３を冷媒タンクＲＦＴと媒体タンクＷＴＴとに区画する。さらに、部材７０ｃは、内側タンク７４を冷媒タンクＲＦＴと媒体タンクＷＴＴとに区画する。板状部材７２ｃは、冷媒タンクＲＦＴと冷媒タンクＲＦＴとを連通する開口を有する。板状部材７２ｃは、媒体タンクＷＴＴと媒体タンクＷＴＴとを連通する開口を有する。
【０１６８】
（第２９実施形態）
上記実施形態に代えて、図５３に図示されるように、板状部材７２ａと板状部材７２ｂとの間に、複数の板状部材７２ｃ１、７２ｃ２を配置してもよい。板状部材７２ｃ１は、複数のチューブ１６ａ、４３ａの積層方向に関して隣接する２つのチューブ１６ａ、４３ａの間における隔壁、すなわち仕切を提供する。同時に、板状部材７２ｃ１は、空気ＡＲの流れ方向に沿って隣接する冷媒チューブ１６ａと水チューブ４３ａとの間における隔壁、すなわち仕切を提供する。板状部材７２ｃ１は、複数のチューブ１６ａ、４３ａの端部を受け入れる複数の貫通部を有する。複数の貫通部は、積層方向に関して分離されている。いくつかの大きい貫通部は、空気ＡＲの流れ方向に沿って並べられた、複数の同種のチューブを受け入れることができる。大きい貫通部は、複数の冷媒チューブ１６ａの端部を受け入れている。この大きい貫通部は、複数の同種のチューブを連通させている。
【０１６９】
板状部材７２ｃ２は、冷媒タンクＲＦＴと媒体タンクＷＴＴとの間における隔壁、すなわち仕切を提供する。冷媒タンクＲＦＴと媒体タンクＷＴＴとは、空気ＡＲの流れ方向に沿って上流と下流とに配置されている。よって、板状部材７２ｃ２は、空気ＡＲの流れ方向の上下に関してタンク部７２、７５を区画する隔壁、すなわち仕切を提供する。板状部材７２ｃ２は、複数の貫通部を有する。複数の貫通部は、積層方向に関して分離されている。複数の貫通部は、空気ＡＲの流れ方向に関して分離されている。板状部材７２ｃ２は、板状部材７２ｃ１に形成された貫通部の一部を閉塞するための部材でもある。板状部材７２ｃ２は、板状部材７２ｃ１に形成された貫通部と、冷媒タンクＲＦＴおよび媒体タンクＷＴＴとの間に位置付けられ、選択的な連通を提供する。
【０１７０】
この構成によると、外側タンク７３、７６に冷媒タンクＲＦＴと媒体タンクＷＴＴとを並列的に並べて配置することができる。しかも、圧力に対して高い強度をもつタンク部７２、７５を提供することができる。この実施形態でも、タンク部７２、７５に隣接してモジュレータ８０が配置される。モジュレータ８０は、タンク部７２、７５に接触して固定される。
【０１７１】
（第３０実施形態）
上記実施形態に代えて、図５４および図５５に図示される構造を採用することができる。この実施形態では、複数のチューブ１６ａ、４３ａの列方向に沿って延びる３つ以上のタンクが採用される。板状部材７２ｂは、３つの突条を有する。板状部材７２ｂは、第１の冷媒タンクＲＦＴ１、媒体タンクＷＴＴ、および第２の冷媒タンクＲＦＴ２を提供する。
【０１７２】
図５４に図示されるように、熱交換器７０の一部では、板状部材７２ｃ１、７２ｃ２は、第１の冷媒タンクＲＦＴ１、第２の冷媒タンクＲＦＴ２、および複数の冷媒チューブ１６ａを連通する貫通部を提供する。ここでは、板状部材７２ｃ１、７２ｃ２は、媒体タンクＷＴＴを閉塞する。冷媒ＲＦは、第１の冷媒タンクＲＦＴ１から冷媒チューブ１６ａに分配的に供給される。さらに、冷媒ＲＦは、第１の冷媒タンクＲＦＴ１から第２の冷媒タンクＲＦＴ２へ供給される。
【０１７３】
図５５に図示されるように、熱交換器７０の他の一部では、板状部材７２ｃ１、７２ｃ２は、第１の冷媒タンクＲＦＴ１および第２の冷媒タンクＲＦＴ２の一方とひとつの冷媒チューブ１６ａとを連通する貫通部と、媒体タンクＷＴＴとひとつのひとつの水チューブ４３ａとを連通する貫通部とを提供する。冷媒ＲＦは、第２の冷媒タンクＲＦＴ２から冷媒チューブ１６ａに供給される。同じ位置において、媒体である冷却水ＷＴは、媒体タンクＷＴＴから水チューブ４３ａへ供給される。
【０１７４】
この構成によると、冷媒タンクＲＦＴ１、ＲＦＴ２と媒体タンクＷＴＴとを並列的に並べて配置することができる。しかも、第１の冷媒タンクＲＦＴ１および第２の冷媒タンク部ＲＦＴ２を設けることができるから、冷媒の圧力損失を抑制することができる。しかも、圧力に対して高い強度をもつタンク部７２、７５を提供することができる。この実施形態でも、タンク部７２、７５に隣接してモジュレータ８０が配置される。モジュレータ８０は、タンク部７２、７５に接触して固定される。
【０１７５】
（第３１実施形態）
上記実施形態に代えて、図５６に図示される構造を採用することができる。この実施形態では、セパレータ７２ｃ３、７５ｃ３が採用されている。セパレータ７２ｃ３、７５ｃ３は、アルミなどの金属材料の押し出し成形品によって提供することができる。セパレータ７２ｃ３、７５ｃ３は、板状部材７２ａと板状部材７２ｂとの間に形成されたタンク室を、空気ＡＲの流れ方向に関して冷媒タンクＲＦＴと媒体タンクＷＴＴとに区画している。
【０１７６】
セパレータ７２ｃ３、７５ｃ３は、冷媒チューブ１６ａの端部を受け入れ可能であって、冷媒タンクＲＦＴに連通する貫通部を有する。セパレータ７２ｃ３、７５ｃ３は、媒体チューブ４３ａの端部を受け入れ可能であって、媒体タンクＷＴＴに連通する貫通部を有する。よって、セパレータ７２ｃ３、７５ｃ３は、冷媒チューブ１６ａと水チューブ４３ａとが隣接する列において、タンクとチューブとの正しい対応関係に従う選択的な連通を提供する部材でもある。この実施形態でも、タンク部７２、７５に隣接してモジュレータ８０が配置される。モジュレータ８０は、タンク部７２、７５に接触して固定される。
【０１７７】
（第３２実施形態）
上記実施形態に代えて、図５７に図示される構造を採用することができる。この実施形態では、タンク部７２、７５を形成するために、板状部材７２ａ、７５ａと、多穴管７２ｂ１、７５ｂ１とが用いられている。多穴管７２ｂ１、７５ｂ１は、アルミなどの金属材料の押し出し成形品によって提供することができる。多穴管７２ｂ１、７５ｂ１は、外壁と、外壁の中を複数の穴に仕切る仕切壁とをもつ。多穴管７２ｂ１、７５ｂ１は、第１の冷媒タンクＲＦＴ１、媒体タンクＷＴＴ、および第２の冷媒タンクＲＦＴ２を提供する。
【０１７８】
多穴管７２ｂ１、７５ｂ１は、冷媒チューブ１６ａの端部を受け入れ可能であって、冷媒タンクＲＦＴ１、ＲＦＴ２に連通する貫通部を有する。多穴管７２ｂ１、７５ｂ１は、媒体チューブ４３ａの端部を受け入れ可能であって、媒体タンクＷＴＴに連通する貫通部を有する。よって、多穴押し出し管７２ｂ１、７５ｂ１は、冷媒チューブ１６ａと水チューブ４３ａとが隣接する列において、タンクとチューブとの正しい対応関係に従う選択的な連通を提供する部材でもある。
【０１７９】
多穴管７２ｂ１、７５ｂ１は、タンク部７２、７５を提供する。多穴管７２ｂ１、７５ｂ１は、タンク部７２、７５の中を仕切壁によって仕切ることにより冷媒タンクＲＦＴ１、ＲＦＴ２と媒体タンクＷＴＴとを形成している。この構成によると、高い剛性をもつタンク部７２、７５が提供される。この実施形態でも、タンク部７２、７５に隣接してモジュレータ８０が配置される。モジュレータ８０は、タンク部７２、７５に接触して固定される。
【０１８０】
（第３３実施形態）
上記実施形態では、一部の部材を共用して冷媒タンクＲＦＴと媒体タンクＷＴＴとを形成した。これに代えて、図５８および図５９に図示されるように、媒体タンクＷＴＴと冷媒タンクＲＦＴとを別体として構成してもよい。タンク部７２、７５において媒体タンクＷＴＴは、冷媒タンクＲＦＴから独立している。媒体タンクＷＴＴと冷媒タンクＲＦＴとは、共通の部材をもたない。
【０１８１】
接続部８２は、冷媒タンクＲＦＴだけに接続されている。接続部８２は、媒体タンクＷＴＴには接続されていない。この実施形態でも、モジュレータ８０と冷媒タンクＲＦＴとを接続する部材の断面積は、モジュレータ８０と媒体タンクＷＴＴとを接続する部材の断面積より大きい。モジュレータ８０と媒体タンクＷＴＴとを接続する部材の断面積は０（ゼロ）である。
【０１８２】
この実施形態と、先行するいくつかの実施形態、例えば第１実施形態では、モジュレータ８０は冷媒タンクＲＦＴだけに接触している。この構成によると、モジュレータ８０と媒体タンクＷＴＴとの間の熱伝達を抑制することができる。
【０１８３】
先行するいくつかの実施形態では、モジュレータ８０は冷媒タンクＲＦＴに接触している。モジュレータ８０は媒体タンクＷＴＴに接触しているか、または接触していない。モジュレータ８０と冷媒タンクＲＦＴとの間の熱伝達を規定する断面積は、モジュレータ８０と媒体タンクＷＴＴとの間の熱伝達を規定する断面積より大きい。この構成によると、モジュレータ８０と媒体タンクＷＴＴとの間の熱伝達を抑制することができる。
【０１８４】
先行する複数の実施形態では、タンク部７２、７５の中を仕切ることにより冷媒タンクＲＦＴと媒体タンクＷＴＴとが形成されている。タンク部７２、７５の内部における仕切は、部材７２ｃ、７３ｆ、７０ａ、７０ｂ、７０ｃ、７２ｃ１、７２ｃ２、７２ｃ３、７２ｂ１によって提供される。これらの実施形態では、タンク部７２、７５が仕切られることによって、タンク部７２、７５の剛性が高められる。
【０１８５】
（第３４実施形態）
図６０は、図４に示した実施形態の熱交換器におけるチューブ１６ａ、４３ａの配置を示す部分断面図である。この実施形態では、上流列７１ｃにおいて冷媒チューブ１６ａと媒体チューブ４３ａとが隣接するように配置されている。上流列７１ｃにおいて冷媒チューブ１６ａと媒体チューブ４３ａとは交互に配置されている。下流列７１ｄには、複数の冷媒チューブ１６ａだけが配置されている。
【０１８６】
隣接する２つのチューブ１６ａ、４３ａの間には、空気ＡＲとの熱交換を促進するためのフィン５０が配置されている。フィン５０は、アルミなどの金属板を波形に成形することによって得られるコルゲートフィンである。フィン５０は、空気ＡＲとの熱交換を促進するための熱交換促進部５０ａを有する。熱交換促進部５０ａは、フィン５０を貫通するスリット状の開口を提供するルーバ５０ａである。
【０１８７】
フィン５０は、上流列７１ｃにおいて、冷媒チューブ１６ａと媒体チューブ４３ａとの間に配置されている。フィン５０は、上流列７１ｃにおいて、冷媒チューブ１６ａと媒体チューブ４３ａとを熱的に結合する。フィン５０は、下流列７１ｄにおいて、隣接する２つの冷媒チューブ１６ａの間に配置されている。フィン５０は、下流列７１ｄにおいて、隣接する２つの冷媒チューブ１６ａを熱的に結合する。フィン５０は、上流列７１ｃと下流列７１ｄとの両方にわたって配置されている。フィン５０は、上流列７１ｃのチューブ１６ａ、４３ａと下流列７１ｄのチューブ１６ａとを熱的に結合する。
【０１８８】
図６１は、図１８に示した実施形態の熱交換器におけるチューブ１６ａ、４３ａの配置を示す部分断面図である。この実施形態では、上流列７１ｃと下流列７１ｄとの両方において冷媒チューブ１６ａと媒体チューブ４３ａとは交互に配置されている。上流列７１ｃの冷媒チューブ１６ａの下流に、下流列７１ｄの冷媒チューブ１６ａが位置している。上流列７１ｃの媒体チューブ４３ａの下流に、下流列７１ｄの媒体チューブ４３ａが位置している。よって、上流列７１ｃと下流列７１ｄとにおいて、冷媒チューブ１６ａと媒体チューブ４３ａとの配列は整合的である。
【０１８９】
チューブ１６ａ、４３ａは、図６２のように配置することができる。上流列７１ｃの冷媒チューブ１６ａの下流に、下流列７１ｄの媒体チューブ４３ａが位置している。上流列７１ｃの媒体チューブ４３ａの下流に、下流列７１ｄの冷媒チューブ１６ａが位置している。よって、上流列７１ｃと下流列７１ｄとにおいて、冷媒チューブ１６ａと媒体チューブ４３ａとの配列は非整合的である。この熱交換器７０によると、冷媒チューブ１６ａと媒体チューブ４３ａとの間の空気ＡＲを経由する熱伝達を促進することができる。
【０１９０】
（第４５実施形態）
チューブ１６ａ、４３ａは、図６３に図示されるように配置されてもよい。この実施形態では、冷媒チューブ１６ａは下流列７１ｄにおける多数派である。冷媒チューブ１６ａは、熱交換器７０における多数派でもある。下流列７１ｄには、部分的に媒体チューブ４３ａが配置されている。媒体チューブ４３ａは、下流列７１ｄにおける少数派である。媒体チューブ４３ａは、熱交換器７０における少数派でもある。下流列７１ｄの媒体チューブ４３ａは、上流列７１ｃの冷媒チューブ１６ａの下流に位置するように配置されている。
【０１９１】
（第３６実施形態）
チューブ１６ａ、４３ａは、図６４に図示されるように配置されてもよい。上流列７１ｃと下流列７１ｄとにおいて、冷媒チューブ１６ａと媒体チューブ４３ａとの配列は整合的である。この実施形態でも、チューブ１６ａ、４３ａは、空気ＡＲの流れ方向と直交する方向に沿って積層されている。連続して積層された複数の冷媒チューブ１６ａと、１本の媒体チューブ４３ａとからなる配列が、一単位を構成する。３本の冷媒チューブ１６ａと１本の媒体チューブ４３ａとが一単位を構成している。熱交換器７０は、複数の単位によって形成されている。冷媒チューブ１６ａと媒体チューブ４３ａとは、部分的に隣接している。
【０１９２】
（第３７実施形態）
チューブ１６ａ、４３ａは、図６５に図示されるように配置されてもよい。下流列７１ｄは、冷媒チューブ１６ａだけによって構成されている。上流列７１ｃは、冷媒チューブ１６ａと媒体チューブ４３ａとによって構成されている。上流列７１ｃには、少数派である媒体チューブ４３ａが不規則に配置されている。上流列７１ｃにおいて、複数の媒体チューブ４３ａは互いに隣接することがないように分散的に配置されている。この構成でも、冷媒チューブ１６ａと媒体チューブ４３ａとは、部分的に隣接している。
【０１９３】
（第３８実施形態）
チューブ１６ａ、４３ａは、図６６に図示されるように配置されてもよい。この実施形態でも、フィン５０は隣接する冷媒チューブ１６ａと媒体チューブ４３ａとを熱的に結合する。さらに、フィン５０は、上流列７１ｃに位置付けられたチューブ１６ａ、４３ａと、下流列７１ｄに位置付けられたチューブ１６ａ、４３ａとを熱的に結合する。
【０１９４】
（他の実施形態）
以上、開示された発明の好ましい実施形態について説明したが、開示された発明は上述した実施形態に何ら制限されることなく、発明の主旨を逸脱しない範囲において種々変形して実施することが可能である。上記実施形態の構造は、あくまで例示であって、発明の範囲はこれらの記載の範囲に限定されるものではない。発明の範囲は、特許請求の範囲の記載によって示され、さらに特許請求の範囲の記載と均等の意味及び範囲内での全ての変更を含むものである。
【０１９５】
例えば、制御装置が提供する手段と機能は、ソフトウェアのみ、ハードウェアのみ、あるいはそれらの組合せによって提供することができる。例えば、制御装置をアナログ回路によって構成してもよい。
【０１９６】
上記実施形態では、補助媒体として、冷却水または冷媒を利用した。これに代えて、熱運搬性に優れ、熱を蓄えることができる流体、例えば、油、ガスなどを用いてもよい。また、上記実施形態では、空気ＡＲ、冷媒ＲＦ、および冷却水ＷＴの３種の媒体を熱交換させる熱交換器７０を提供した。これに代えて、熱交換器７０は、４種またはそれ以上の媒体を熱交換させるように構成してもよい。
【０１９７】
上記実施形態では、冷却水回路４０にラジエータ４３を設けた。これに加えて、冷却水ＷＴと空気ＡＲとの熱交換により冷却水ＷＴから放熱するための熱交換器を備えてもよい。例えば、ラジエータ４３および外部熱源ＨＳと並列となるように放熱用の熱交換器を設けることができる。
【０１９８】
また、冷媒チューブ１６ａと水チューブ４３ａとは、熱交換器７０の全部または一部において交互に配置することができる。また、冷媒チューブ１６ａと水チューブ４３ａとは、熱交換器７０の上流列の全部または一部において交互に配置することができる。また、冷媒チューブ１６ａと水チューブ４３ａとは、空気ＡＲの流れ方向に関して３列以上の列を構成するように配置されてもよい。
【０１９９】
例えば、熱交換器７０内における冷却水ＷＴの経路は、上記実施形態に示した上下にＵターンする経路、および左右に一方通行の経路の他に、種々の経路を採用することができる。例えば、複数の実施形態に示した冷媒ＲＦの経路のように、冷却水ＷＴの経路を構成することができる。具体的には、熱交換器７０内に、冷却水ＷＴのための前後にＵターンする経路を設けてもよい。
【０２００】
また、上記実施形態では、上流列７１ｃに属するチューブ１６ａ、４３ａと、下流列７１ｄに属するチューブ１６ａ、４３ａとをフィン５０を介して熱的に密接に結合した。これに代えて、上流列７１ｃと下流列７１ｄとに、独立したフィンを設けてもよい。
【０２０１】
また、上記実施形態では、空気ＡＲの流れ方向を図示して、空気ＡＲの流れ方向に基づいて部品の位置関係を説明した。しかし、空気ＡＲの流れ方向は、反転させることができる。例えば、図示された矢印と反対方向に空気ＡＲを流してもよい。
【０２０２】
また、上記実施形態では、複数のチューブ１６ａ、４３ａを、空気ＡＲの流れ方向に沿って多列に配置した。これに代えて、空気ＡＲの流れ方向に沿って配列された複数のチューブ１６ａ、４３ａを一体的に構成してもよい。例えば、図４において、空気ＡＲの流れ方向に沿って配列された冷媒チューブ１６ａと冷媒チューブ１６ａとの両方を提供する複数の流路を内部に有する１本のチューブを採用することができる。また、空気ＡＲの流れ方向に沿って配列された冷媒チューブ１６ａと水チューブ４３ａとの両方を提供する複数の流路を内部に有する１本のチューブを採用してもよい。また、図１８において、空気ＡＲの流れ方向に沿って配列された水チューブ４３ａと水チューブ４３ａとの両方を提供する複数の流路を内部に有する１本のチューブを採用してもよい。
【符号の説明】
【０２０３】
１  空調装置、１０  冷媒回路、４０  冷却水回路、１６  室外熱交換器、
１６ａ  冷媒チューブ、１６ｂ  空気通路、１６ｃ  凝縮部、１６ｄ  過冷却部、
２０  蒸発器、４３  ラジエータ、４３ａ  水チューブ、５０  フィン、
７０  熱交換器、７１  コア部、
７１ａ  第１の部分、７１ｂ  第２の部分、７１ｃ  上流列、７１ｄ  下流列、
７２  タンク部、７３  外側タンク、７４  内側タンク、
７５  タンク部、７６  外側タンク、７７  内側タンク、
８０  モジュレータ、
８１  容器、８２  接続部、８３  入口通路、８４  出口通路、
ＡＲ  空気、ＲＦ  冷媒、ＷＴ  冷却水。
【図１】
2013139998.tif 000003
【図２】
2013139998.tif 000004
【図３】
2013139998.tif 000005
【図４】
2013139998.tif 000006
【図５】
2013139998.tif 000007
【図６】
2013139998.tif 000008
【図７】
2013139998.tif 000009
【図８】
2013139998.tif 000010
【図９】
2013139998.tif 000011
【図１０】
2013139998.tif 000012
【図１１】
2013139998.tif 000013
【図１２】
2013139998.tif 000014
【図１３】
2013139998.tif 000015
【図１４】
2013139998.tif 000016
【図１５】
2013139998.tif 000017
【図１６】
2013139998.tif 000018
【図１７】
2013139998.tif 000019
【図１８】
2013139998.tif 000020
【図１９】
2013139998.tif 000021
【図２０】
2013139998.tif 000022
【図２１】
2013139998.tif 000023
【図２２】
2013139998.tif 000024
【図２３】
2013139998.tif 000025
【図２４】
2013139998.tif 000026
【図２５】
2013139998.tif 000027
【図２６】
2013139998.tif 000028
【図２７】
2013139998.tif 000029
【図２８】
2013139998.tif 000030
【図２９】
2013139998.tif 000031
【図３０】
2013139998.tif 000032
【図３１】
2013139998.tif 000033
【図３２】
2013139998.tif 000034
【図３３】
2013139998.tif 000035
【図３４】
2013139998.tif 000036
【図３５】
2013139998.tif 000037
【図３６】
2013139998.tif 000038
【図３７】
2013139998.tif 000039
【図３８】
2013139998.tif 000040
【図３９】
2013139998.tif 000041
【図４０】
2013139998.tif 000042
【図４１】
2013139998.tif 000043
【図４２】
2013139998.tif 000044
【図４３】
2013139998.tif 000045
【図４４】
2013139998.tif 000046
【図４５】
2013139998.tif 000047
【図４６】
2013139998.tif 000048
【図４７】
2013139998.tif 000049
【図４８】
2013139998.tif 000050
【図４９】
2013139998.tif 000051
【図５０】
2013139998.tif 000052
【図５１】
2013139998.tif 000053
【図５２】
2013139998.tif 000054
【図５３】
2013139998.tif 000055
【図５４】
2013139998.tif 000056
【図５５】
2013139998.tif 000057
【図５６】
2013139998.tif 000058
【図５７】
2013139998.tif 000059
【図５８】
2013139998.tif 000060
【図５９】
2013139998.tif 000061
【図６０】
2013139998.tif 000062
【図６１】
2013139998.tif 000063
【図６２】
2013139998.tif 000064
【図６３】
2013139998.tif 000065
【図６４】
2013139998.tif 000066
【図６５】
2013139998.tif 000067
【図６６】
2013139998.tif 000068